(57)【要約】  本発明は、トランキングサービスを迅速に確立するための方法、関連する装置及びシステムを開示する。当該方法は、基地局装置が、ユーザ装置がトランキングサービスモードに入ったという通知情報を受信するステップであって、前記通知情報はＥＰＣ（Ｅｖｏｌｖｅｄ  Ｐａｃｋｅｔ  Ｃｏｒｅ  ｎｅｔｗｏｒｋ）装置により送信される、受信するステップと、前記基地局装置が、前記通知情報に応答し、前記ユーザ装置とのＲＲＣ（Ｒａｄｉｏ  Ｒｅｓｏｕｒｃｅ  Ｃｏｎｔｒｏｌ）コネクションを構成するステップと、前記基地局装置が、前記通知情報に応答し、間欠受信周期を有する無線リソースコネクションコンフィギュレーション情報を生成するステップと、前記基地局装置が、前記無線リソースコネクションコンフィギュレーション情報を前記ユーザ装置に送信するステップであって、前記ユーザ装置は前記間欠受信周期を前記ユーザ装置自体の間欠受信周期として設定する、送信するステップと、前記ユーザ装置が前記トランキングサービスモードにあるとき、前記基地局装置は、前記無線リソースコネクションコンフィギュレーション情報に従って前記ユーザ装置とのＲＲＣコネクションを保持するステップとを有する。本発明によると、トランキングサービスを確立するための遅延が有意に低減でき、トランキングサービスの迅速な確立が確保される。
2015530051.tif 000002
【特許請求の範囲】
【請求項１】
トランキングサービスを迅速に確立するための方法であって、
基地局装置が、ユーザ装置がトランキングサービスモードに入ったという通知情報を受信するステップであって、前記通知情報はＥＰＣ（Ｅｖｏｌｖｅｄ  Ｐａｃｋｅｔ  Ｃｏｒｅ  ｎｅｔｗｏｒｋ）装置により送信される、受信するステップと、
前記基地局装置が、前記通知情報に応答し、前記ユーザ装置とのＲＲＣ（Ｒａｄｉｏ  Ｒｅｓｏｕｒｃｅ  Ｃｏｎｔｒｏｌ）コネクションを構成するステップと、
前記基地局装置が、前記通知情報に応答し、間欠受信周期を有する無線リソースコネクションコンフィギュレーション情報を生成するステップと、
前記基地局装置が、前記無線リソースコネクションコンフィギュレーション情報を前記ユーザ装置に送信するステップであって、前記ユーザ装置は前記間欠受信周期を前記ユーザ装置自体の間欠受信周期として設定する、送信するステップと、
前記ユーザ装置が前記トランキングサービスモードにあるとき、前記基地局装置は、前記無線リソースコネクションコンフィギュレーション情報に従って前記ユーザ装置とのＲＲＣコネクションを保持するステップと、
を有する方法。
【請求項２】
前記基地局装置が、ユーザ装置がトランキングサービスモードに入ったという通知情報を受信するステップであって、前記通知情報はＥＰＣ装置により送信される、受信するステップは、
前記基地局装置が、前記ＥＰＣ装置により送信されたベアラ確立リクエスト又はコンテクスト変更リクエストを受信するステップを有し、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される、請求項１記載の方法。
【請求項３】
前記基地局装置が、ユーザ装置がトランキングサービスモードに入ったという通知情報を受信するステップであって、前記通知情報はＥＰＣ装置により送信される、受信するステップは、
前記基地局装置が、前記ＥＰＣ装置により送信されたベアラ確立リクエスト又はコンテクスト変更リクエストを受信するステップを有し、前記リクエストはトランキングサービス識別子を含み、前記トランキングサービス識別子は、前記ユーザ装置が前記トランキングサービスモードに入ったことを通知するのに利用される、請求項１記載の方法。
【請求項４】
前記基地局装置が、前記通知情報に応答し、前記ユーザ装置とのＲＲＣコネクションを構成するステップは、
前記基地局装置が、前記通知情報に応答し、前記ユーザ装置にＲＲＣコネクションリコンフィギュレーションリクエストを送信するステップと、
前記基地局装置が、前記ユーザ装置により返されたＲＲＣコネクションリコンフィギュレーションコンプリーションレスポンスを受信するステップと、
を有する、請求項１記載の方法。
【請求項５】
前記基地局装置が、前記通知情報に応答し、間欠受信周期を有する無線リソースコネクションコンフィギュレーション情報を生成するステップは、
前記基地局装置が、前記通知情報に応答し、第１間欠受信周期と第２間欠受信周期とを有する無線リソースコネクションコネクションコンフィギュレーション情報を生成するステップを有し、前記第１間欠受信周期は前記第２間欠受信周期より小さい、請求項１乃至４何れか一項記載の方法。
【請求項６】
前記基地局装置が、前記トランキングサービスモードに入る間欠受信コマンドを前記ユーザ装置に送信するステップを更に有し、前記コマンドは、前記ユーザ装置が前記トランキングサービスモードにあるとき、前記第１間欠受信周期を利用することによって短周期間欠受信状態を保持し、前記間欠受信短周期タイマをクローズするよう前記ユーザ装置に指示するのに利用される、請求項５記載の方法。
【請求項７】
トランキングサービスを迅速に確立するための方法であって、
ユーザ装置が、ＥＰＣ（Ｅｖｏｌｖｅｄ  Ｐａｃｋｅｔ  Ｃｏｒｅ  ｎｅｔｗｏｒｋ）装置を利用することによって、前記ユーザ装置とのＲＲＣ（Ｒａｄｉｏ  Ｒｅｓｏｕｒｃｅ  Ｃｏｎｔｒｏｌ）コネクションを構成し、間欠受信周期を有する無線リソースコネクションコンフィギュレーション情報を生成し、前記無線リソースコネクションコンフィギュレーション情報を前記ユーザ装置に送信するよう基地局装置をトリガするため、前記ユーザ装置がトランキングサービスモードに入ったという通知情報を前記基地局装置に送信するステップと、
前記ユーザ装置が、前記基地局装置により送信され、前記間欠受信周期を有する前記無線リソースコネクションコンフィギュレーション情報を受信し、前記間欠受信周期を前記ユーザ装置自体の間欠受信周期として設定するステップと、
前記ユーザ装置が前記トランキングサービスモードにあるとき、前記無線リソースコネクションコンフィギュレーション情報に従って前記基地局装置との前記ＲＲＣコネクションを保持するステップと、
を有する方法。
【請求項８】
前記ユーザ装置が、ＥＰＣ装置を利用することによって、前記ユーザ装置がトランキングサービスモードに入ったという通知情報を前記基地局装置に送信するステップは、
前記ユーザ装置が、前記ＥＰＣ装置を利用することによって、ベアラ確立リクエスト又はコンテクスト変更リクエストを前記基地局装置に送信するステップを有し、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される、請求項７記載の方法。
【請求項９】
前記ユーザ装置が、ＥＰＣ装置を利用することによって、前記ユーザ装置がトランキングサービスモードに入ったという通知情報を前記基地局装置に送信するステップは、
前記ユーザ装置が、前記ＥＰＣ装置を利用することによって、ユーザ装置ベアラ確立リクエスト又はコンテクスト変更リクエストを前記基地局装置に送信するステップを有し、前記リクエストはトランキングサービス識別子を含み、前記トランキングサービス識別子は、前記ユーザ装置が前記トランキングサービスモードに入ったことを通知するのに利用される、請求項７記載の方法。
【請求項１０】
前記ユーザ装置が、前記基地局装置により送信され、前記間欠受信周期を有する前記無線リソースコネクションコンフィギュレーション情報を受信し、前記間欠受信周期を前記ユーザ装置自体の間欠受信周期として設定するステップは、
前記ユーザ装置が、前記基地局装置により送信され、第１間欠受信周期と第２間欠受信周期とを有する前記無線リソースコネクションコンフィギュレーション情報を受信するステップであって、前記第１間欠受信周期は前記第２間欠受信周期より小さい、受信するステップと、
前記ユーザ装置が、前記第１間欠受信周期と前記第２間欠受信周期とを前記ユーザ装置自体の間欠受信周期として設定するステップと、
を有する、請求項７乃至９何れか一項記載の方法。
【請求項１１】
前記ユーザ装置が前記トランキングサービスモードにあるとき、前記ユーザ装置が、間欠受信短周期タイマを自動的にクローズするか、又は前記基地局装置の指示に従ってクローズし、前記第１間欠受信周期を利用するステップと、
前記ユーザ装置が前記トランキングサービスモードから出るとき、前記間欠受信短周期タイマを自動的に起動するか、又は前記基地局装置の指示に従って起動し、前記間欠受信短周期タイマが満了した後に前記第２間欠受信周期を利用するステップと、
を更に有する、請求項１０記載の方法。
【請求項１２】
ユーザ装置がトランキングサービスモードに入ったという通知情報を受信するよう構成される受信部であって、前記通知情報はＥＰＣ（Ｅｖｏｌｖｅｄ  Ｐａｃｋｅｔ  Ｃｏｒｅ  ｎｅｔｗｏｒｋ）装置により送信される、受信部と、
前記受信部により受信された前記通知情報に応答し、前記ユーザ装置とのＲＲＣ（Ｒａｄｉｏ  Ｒｅｓｏｕｒｃｅ  Ｃｏｎｔｒｏｌ）コネクションを構成するよう構成される構成部と、
前記受信部により受信された前記通知情報に応答し、間欠受信周期を有する無線リソースコネクションコンフィギュレーション情報を生成するよう構成される生成部と、
前記生成部により生成された前記無線リソースコネクションコンフィギュレーション情報を前記ユーザ装置に送信するよう構成される送信部であって、前記ユーザ装置は前記間欠受信周期を前記ユーザ装置自体の間欠受信周期として設定する、送信部と、
前記ユーザ装置が前記トランキングサービスモードにあるとき、前記生成部により生成される前記無線リソースコネクションコンフィギュレーション情報に従って前記ユーザ装置とのＲＲＣコネクションを保持するよう構成される保持部と、
を有する基地局装置。
【請求項１３】
前記受信部は、前記ＥＰＣ装置により送信されるベアラ確立リクエスト又はコンテクスト変更リクエストを受信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される、請求項１２記載の基地局装置。
【請求項１４】
前記受信部は、前記ＥＰＣ装置により送信されるベアラ確立リクエスト又はコンテクスト変更リクエストを受信するよう具体的に構成され、前記リクエストはトランキングサービス識別子を含み、前記トランキングサービス識別子は、前記ユーザ装置が前記トランキングサービスモードに入ったことを通知するのに利用される、請求項１２記載の基地局装置。
【請求項１５】
前記構成部は、前記受信部により受信された前記通知情報に応答し、ＲＲＣコネクションリコンフィギュレーションリクエストを前記ユーザ装置に送信し、前記ユーザ装置により返されたＲＲＣコネクションリコンフィギュレーションコンプリーションレスポンスを受信するよう具体的に構成される、請求項１２記載の基地局装置。
【請求項１６】
前記生成部は、前記受信部により受信された前記通知情報に応答し、第１間欠受信周期と第２間欠受信周期とを有する前記無線リソースコネクションコンフィギュレーション情報を生成するよう具体的に構成され、前記第１間欠受信周期は前記第２間欠受信周期より小さい、請求項１２乃至１５何れか一項記載の基地局装置。
【請求項１７】
前記送信部は更に、前記トランキングサービスモードに入る間欠受信コマンドを前記ユーザ装置に送信するよう構成され、前記コマンドは、前記ユーザ装置が前記トランキングサービスモードにあるとき、前記第１間欠受信周期を利用することによって、短周期間欠受信状態を保持し、前記間欠受信短周期タイマをクローズするよう前記ユーザ装置に指示するのに利用される、請求項１６記載の基地局装置。
【請求項１８】
ＥＰＣ（Ｅｖｏｌｖｅｄ  Ｐａｃｋｅｔ  Ｃｏｒｅ  ｎｅｔｗｏｒｋ）装置を利用することによって、ユーザ装置とのＲＲＣ（Ｒａｄｉｏ  Ｒｅｓｏｕｒｃｅ  Ｃｏｎｔｒｏｌ）コネクションを構成し、間欠受信周期を有する無線リソースコネクションコンフィギュレーション情報を生成し、前記無線リソースコネクションコンフィギュレーション情報を前記ユーザ装置に送信するよう基地局装置をトリガするため、前記ユーザ装置がトランキングサービスモードに入ったという通知情報を前記基地局装置に送信するよう構成される送信部と、
前記送信部が、前記ＥＰＣ装置を利用することによって、前記ユーザ装置が前記トランキングサービスモードに入ったという通知情報を前記基地局装置に送信した後、前記基地局装置により送信され、前記間欠受信周期を有する前記無線リソースコネクションコンフィギュレーション情報を受信するよう構成される受信部と、
前記受信部により受信された前記間欠受信周期を前記ユーザ装置自体の間欠受信周期として設定するよう構成される設定部と、
前記ユーザ装置が前記トランキングサービスモードにあるとき、前記受信部により受信された前記無線リソースコネクションコンフィギュレーション情報に従って前記基地局装置とのＲＲＣコネクションを保持するよう構成される保持部と、
を有するユーザ装置。
【請求項１９】
前記送信部は、前記ＥＰＣ装置を利用することによって、ベアラ確立リクエスト又はコンテクスト変更リクエストを前記基地局装置に送信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される、請求項１８記載のユーザ装置。
【請求項２０】
前記送信部は、前記ＥＰＣ装置を利用することによって、ベアラ確立リクエスト又はコンテクスト変更リクエストを前記基地局装置に送信するよう具体的に構成され、前記リクエストはトランキングサービス識別子を含み、前記トランキングサービス識別子は、前記ユーザ装置が前記トランキングサービスモードに入ったことを通知するのに利用される、請求項１８記載のユーザ装置。
【請求項２１】
前記受信部は、前記基地局装置により送信され、第１間欠受信周期と第２間欠受信周期とを有する前記無線リソースコネクションコンフィギュレーション情報を受信するよう具体的に構成され、前記第１間欠受信周期は前記第２間欠受信周期より小さく、
前記設定部は、前記受信部により受信された前記第１間欠受信周期と前記第２間欠受信周期とを前記ユーザ装置自体の間欠受信周期として設定するよう具体的に構成される、請求項１８乃至２０何れか一項記載のユーザ装置。
【請求項２２】
前記保持部は更に、前記ユーザ装置が前記トランキングサービスモードにあるとき、間欠受信短周期タイマを自動的にクローズするか、又は前記基地局装置の指示に従ってクローズし、前記受信部により受信された前記第１間欠受信周期を利用するよう構成され、前記ユーザ装置が前記トランキングサービスモードから出るとき、前記間欠受信短周期タイマを自動的に起動するか、又は前記基地局装置の指示に従って起動し、前記間欠受信短周期タイマが満了した後、前記受信部により受信された前記第２間欠受信周期を利用するよう構成される、請求項２１記載のユーザ装置。
【請求項２３】
トランキングサービスを迅速に確立するためのシステムであって、請求項１２乃至１７何れか一項記載の基地局装置、請求項１８乃至２２何れか一項記載のユーザ装置及びＥＰＣ（Ｅｖｏｌｖｅｄ  Ｐａｃｋｅｔ  Ｃｏｒｅ  ｎｅｔｗｏｒｋ）装置を有し、
前記ＥＰＣ装置は、前記ユーザ装置がトランキングサービスモードに入ったという通知情報を前記基地局装置に送信するよう構成されるシステム。
【請求項２４】
前記ＥＰＣ装置は、ベアラ確立リクエスト又はコンテクストリクエストを前記基地局装置に送信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される、請求項２３記載のシステム。
【請求項２５】
前記ＥＰＣ装置は、ベアラ確立リクエスト又はコンテクスト変更リクエストを前記基地局装置に送信するよう具体的に構成され、前記リクエストはトランキングサービス識別子を含み、前記トランキングサービス識別子は、前記ユーザ装置が前記トランキングサービスモードに入ったことを通知するのに利用される、請求項２３記載のシステム。
【発明の詳細な説明】
【技術分野】
【０００１】
本出願は、参照することによりその全体がここに援用される、２０１２年９月１７日に中国特許庁に出願された“ＭＥＴＨＯＤ  ＦＯＲ  ＱＵＩＣＫＬＹ  ＥＳＴＡＢＬＩＳＨＩＮＧ  ＴＲＵＮＫＩＮＧ  ＳＥＲＶＩＣＥ  ＡＮＤ  ＲＥＬＡＴＥＤ  ＤＥＶＩＣＥ  ＡＮＤ  ＳＹＳＴＥＭ”という名称の中国特許出願第２０１２１０３４４０９６．４に対する優先権を主張する。
【０００２】
本発明は、トランキングサービスの分野に関し、特にトランキングサービスを迅速に確立するための方法、関連する装置及びシステムに関する。
【背景技術】
【０００３】
ロング・ターム・エボリューション（Ｌｏｎｇ  Ｔｅｒｍ  Ｅｖｏｌｕｔｉｏｎ，ＬＴＥ）ネットワークの開発によって、トランキングサービスがＬＴＥネットワーク上で実現された。ＬＴＥネットワーク上では、ユーザ装置（Ｕｓｅｒ  Ｅｑｕｉｐｍｅｎｔ，ＵＥ）がＬＴＥネットワークにアタッチした後、サービスリクエストが長時間ない場合、ＵＥはアイドル（ＲＲＣ＿ＩＤＬＥ）状態に入り、サービスリクエストが到来した後に、ＵＥは、無線リソース制御（Ｒａｄｉｏ  Ｒｅｓｏｕｒｃｅ  Ｃｏｎｔｒｏｌ，ＲＲＣ）接続を開始し、これにより、ＵＥは接続（ＲＲＣ＿ＣＯＮＮＥＣＴＥＤ）状態に入る。ＲＲＣ＿ＣＯＮＮＥＣＴＥＤ状態では、ＵＲは、間欠受信（Ｄｉｓｃｏｎｔｉｎｕｅ  ｒｅｃｅｐｔｉｏｎ，ＤＲＸ）機構を利用することによって、いくつかの瞬間には無線チャネルをリッスンし、いくつかの瞬間にはスリープ状態に入ることを選択してもよく、これにより、ＵＥの電力消費を低減することができる。サービスが長時間到着しないとき、ネットワークは、ＵＥとのＲＲＣ接続を解放し、これにより、ＵＥはＲＲＣ＿ＩＤＬＥ状態に戻り、ＲＲＣ＿ＩＤＬＥ状態では、ＵＥは、ＤＲＸサイクルに従ってコーリングチャネルとブロードキャストチャネルとをリッスンしてもよく、ここで、ＤＲＸサイクルはまたＵＥのページングサイクルと呼ばれ、ＤＲＸサイクルの値は一般に数秒レベルとなる。
【０００４】
トランキングサービスを迅速に開始する必要があるＵＥについて、ＲＲＣ＿ＩＤＬＥ状態からＲＲＣ＿ＣＯＮＮＥＣＴＥＤ状態への遷移時間は、トランキングサービスを迅速に確立するための遅延要求を充たすことができない。
【発明の概要】
【発明が解決しようとする課題】
【０００５】
本発明の実施例は、トランキングサービスを迅速に確立できる、トランキングサービスを迅速に確立するための方法、関連する装置及びシステムを提供する。
【課題を解決するための手段】
【０００６】
本発明の実施例の第１の態様は、トランキングサービスを迅速に確立するための方法であって、
基地局装置が、ユーザ装置がトランキングサービスモードに入ったという通知情報を受信するステップであって、前記通知情報はＥＰＣ（Ｅｖｏｌｖｅｄ  Ｐａｃｋｅｔ  Ｃｏｒｅ  ｎｅｔｗｏｒｋ）装置により送信される、受信するステップと、
前記基地局装置が、前記通知情報に応答し、前記ユーザ装置とのＲＲＣ（Ｒａｄｉｏ  Ｒｅｓｏｕｒｃｅ  Ｃｏｎｔｒｏｌ）コネクションを構成するステップと、
前記基地局装置が、前記通知情報に応答し、間欠受信周期を有する無線リソースコネクションコンフィギュレーション情報を生成するステップと、
前記基地局装置が、前記無線リソースコネクションコンフィギュレーション情報を前記ユーザ装置に送信するステップであって、前記ユーザ装置は前記間欠受信周期を前記ユーザ装置自体の間欠受信周期として設定する、送信するステップと、
前記ユーザ装置が前記トランキングサービスモードにあるとき、前記基地局装置は、前記無線リソースコネクションコンフィギュレーション情報に従って前記ユーザ装置とのＲＲＣコネクションを保持するステップと、
を有する方法を提供する。
【０００７】
第１の態様の第１の可能な実現方式では、前記基地局装置が、ユーザ装置がトランキングサービスモードに入ったという通知情報を受信するステップであって、前記通知情報はＥＰＣ装置により送信される、受信するステップは、
前記基地局装置が、前記ＥＰＣ装置により送信されたベアラ確立リクエスト又はコンテクスト変更リクエストを受信するステップを有し、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される。
【０００８】
第１の態様の第２の可能な実現方式では、前記基地局装置が、ユーザ装置がトランキングサービスモードに入ったという通知情報を受信するステップであって、前記通知情報はＥＰＣ装置により送信される、受信するステップは、
前記基地局装置が、前記ＥＰＣ装置により送信されたベアラ確立リクエスト又はコンテクスト変更リクエストを受信するステップを有し、前記リクエストはトランキングサービス識別子を含み、前記トランキングサービス識別子は、前記ユーザ装置が前記トランキングサービスモードに入ったことを通知するのに利用される。
【０００９】
第１の態様の第３の可能な実現方式では、前記基地局装置が、前記通知情報に応答し、前記ユーザ装置とのＲＲＣコネクションを構成するステップは、
前記基地局装置が、前記通知情報に応答し、前記ユーザ装置にＲＲＣコネクションリコンフィギュレーションリクエストを送信するステップと、
前記基地局装置が、前記ユーザ装置により返されたＲＲＣコネクションリコンフィギュレーションコンプリーションレスポンスを受信するステップと、
を有する。
【００１０】
第１の態様又は第１の態様の第１、第２又は第３の可能な実現方式を参照して、第４の可能な実現方式では、前記基地局装置が、前記通知情報に応答し、間欠受信周期を有する無線リソースコネクションコンフィギュレーション情報を生成するステップは、
前記基地局装置が、前記通知情報に応答し、第１間欠受信周期と第２間欠受信周期とを有する無線リソースコネクションコネクションコンフィギュレーション情報を生成するステップを有し、前記第１間欠受信周期は前記第２間欠受信周期より小さい。
【００１１】
第１の態様の第４の可能な実現方式を参照して、第５の可能な実現方式では、当該方法は、
前記基地局装置が、前記トランキングサービスモードに入る間欠受信コマンドを前記ユーザ装置に送信するステップを更に有し、前記コマンドは、前記ユーザ装置が前記トランキングサービスモードにあるとき、前記第１間欠受信周期を利用することによって短周期間欠受信状態を保持し、前記間欠受信短周期タイマをクローズするよう前記ユーザ装置に指示するのに利用される。
【００１２】
本発明の実施例の第２の態様は、トランキングサービスを迅速に確立するための方法であって、
ユーザ装置が、ＥＰＣ（Ｅｖｏｌｖｅｄ  Ｐａｃｋｅｔ  Ｃｏｒｅ  ｎｅｔｗｏｒｋ）装置を利用することによって、前記ユーザ装置とのＲＲＣ（Ｒａｄｉｏ  Ｒｅｓｏｕｒｃｅ  Ｃｏｎｔｒｏｌ）コネクションを構成し、間欠受信周期を有する無線リソースコネクションコンフィギュレーション情報を生成し、前記無線リソースコネクションコンフィギュレーション情報を前記ユーザ装置に送信するよう基地局装置をトリガするため、前記ユーザ装置がトランキングサービスモードに入ったという通知情報を前記基地局装置に送信するステップと、
前記ユーザ装置が、前記基地局装置により送信され、前記間欠受信周期を有する前記無線リソースコネクションコンフィギュレーション情報を受信し、前記間欠受信周期を前記ユーザ装置自体の間欠受信周期として設定するステップと、
前記ユーザ装置が前記トランキングサービスモードにあるとき、前記無線リソースコネクションコンフィギュレーション情報に従って前記基地局装置との前記ＲＲＣコネクションを保持するステップと、
を有する方法を提供する。
【００１３】
第２の態様の第１の可能な実現方式では、前記ユーザ装置が、ＥＰＣ装置を利用することによって、前記ユーザ装置がトランキングサービスモードに入ったという通知情報を前記基地局装置に送信するステップは、
前記ユーザ装置が、前記ＥＰＣ装置を利用することによって、ベアラ確立リクエスト又はコンテクスト変更リクエストを前記基地局装置に送信するステップを有し、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される。
【００１４】
第２の態様の第２の可能な実現方式では、前記ユーザ装置が、ＥＰＣ装置を利用することによって、前記ユーザ装置がトランキングサービスモードに入ったという通知情報を前記基地局装置に送信するステップは、
前記ユーザ装置が、前記ＥＰＣ装置を利用することによって、ベアラ確立リクエスト又はコンテクスト変更リクエストを前記基地局装置に送信するステップを有し、前記リクエストはトランキングサービス識別子を含み、前記トランキングサービス識別子は、前記ユーザ装置が前記トランキングサービスモードに入ったことを通知するのに利用される。
【００１５】
第２の態様又は第２の態様の第１又は第２の可能な実現方式を参照して、第３の可能な実現方式では、前記ユーザ装置が、前記基地局装置により送信され、前記間欠受信周期を有する前記無線リソースコネクションコンフィギュレーション情報を受信し、前記間欠受信周期を前記ユーザ装置自体の間欠受信周期として設定するステップは、
前記ユーザ装置が、前記基地局装置により送信され、第１間欠受信周期と第２間欠受信周期とを有する前記無線リソースコネクションコンフィギュレーション情報を受信するステップであって、前記第１間欠受信周期は前記第２間欠受信周期より小さい、受信するステップと、
前記ユーザ装置が、前記第１間欠受信周期と前記第２間欠受信周期とを前記ユーザ装置自体の間欠受信周期として設定するステップと、
を有する。
【００１６】
第２の態様の第３の可能な実現方式を参照して、第４の可能な実現方式では、前記ユーザ装置が前記トランキングサービスモードにあるとき、前記ユーザ装置が、間欠受信短周期タイマを自動的にクローズするか、又は前記基地局装置の指示に従ってクローズし、前記第１間欠受信周期を利用するステップと、
前記ユーザ装置が前記トランキングサービスモードから出るとき、前記ユーザ装置が、前記間欠受信短周期タイマを自動的に起動するか、又は前記基地局装置の指示に従って起動し、前記間欠受信短周期タイマが満了した後に前記第２間欠受信周期を利用するステップと、
を更に有する。
【００１７】
本発明の実施例の第３の態様は、
ユーザ装置がトランキングサービスモードに入ったという通知情報を受信するよう構成される受信部であって、前記通知情報はＥＰＣ（Ｅｖｏｌｖｅｄ  Ｐａｃｋｅｔ  Ｃｏｒｅ  ｎｅｔｗｏｒｋ）装置により送信される、受信部と、
前記受信部により受信された前記通知情報に応答し、前記ユーザ装置とのＲＲＣ（Ｒａｄｉｏ  Ｒｅｓｏｕｒｃｅ  Ｃｏｎｔｒｏｌ）コネクションを構成するよう構成される構成部と、
前記受信部により受信された前記通知情報に応答し、間欠受信周期を有する無線リソースコネクションコンフィギュレーション情報を生成するよう構成される生成部と、
前記生成部により生成された前記無線リソースコネクションコンフィギュレーション情報を前記ユーザ装置に送信するよう構成される送信部であって、前記ユーザ装置は前記間欠受信周期を前記ユーザ装置自体の間欠受信周期として設定する、送信部と、
前記ユーザ装置が前記トランキングサービスモードにあるとき、前記生成部により生成される前記無線リソースコネクションコンフィギュレーション情報に従って前記ユーザ装置とのＲＲＣコネクションを保持するよう構成される保持部と、
を有する基地局装置を提供する。
【００１８】
第３の態様の第１の可能な実現方式では、前記受信部は、前記ＥＰＣ装置により送信されるベアラ確立リクエスト又はコンテクスト変更リクエストを受信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される。
【００１９】
第３の態様の第２の可能な実現方式では、前記受信部は、前記ＥＰＣ装置により送信されるベアラ確立リクエスト又はコンテクスト変更リクエストを受信するよう具体的に構成され、前記リクエストはトランキングサービス識別子を含み、前記トランキングサービス識別子は、前記ユーザ装置が前記トランキングサービスモードに入ったことを通知するのに利用される。
【００２０】
第３の態様の第３の可能な実現方式では、前記構成部は、前記受信部により受信された前記通知情報に応答し、ＲＲＣコネクションリコンフィギュレーションリクエストを前記ユーザ装置に送信し、前記ユーザ装置により返されたＲＲＣコネクションリコンフィギュレーションコンプリーションレスポンスを受信するよう具体的に構成される。
【００２１】
第３の態様又は第３の態様の第１、第２又は第３の可能な実現方式を参照して、第４の可能な実現方式では、前記生成部は、前記受信部により受信された前記通知情報に応答し、第１間欠受信周期と第２間欠受信周期とを有する前記無線リソースコネクションコンフィギュレーション情報を生成するよう具体的に構成され、前記第１間欠受信周期は前記第２間欠受信周期より小さい。
【００２２】
第３の態様の第４の可能な実現方式を参照して、第５の可能な実現方式では、前記送信部は更に、前記トランキングサービスモードに入る間欠受信コマンドを前記ユーザ装置に送信するよう構成され、前記コマンドは、前記ユーザ装置が前記トランキングサービスモードにあるとき、前記第１間欠受信周期を利用することによって、短周期間欠受信状態を保持し、前記間欠受信短周期タイマをクローズするよう前記ユーザ装置に指示するのに利用される。
【００２３】
本発明の実施例の第４の態様は、
ＥＰＣ（Ｅｖｏｌｖｅｄ  Ｐａｃｋｅｔ  Ｃｏｒｅ  ｎｅｔｗｏｒｋ）装置を利用することによって、ユーザ装置とのＲＲＣ（Ｒａｄｉｏ  Ｒｅｓｏｕｒｃｅ  Ｃｏｎｔｒｏｌ）コネクションを構成し、間欠受信周期を有する無線リソースコネクションコンフィギュレーション情報を生成し、前記無線リソースコネクションコンフィギュレーション情報を前記ユーザ装置に送信するよう基地局装置をトリガするため、前記ユーザ装置がトランキングサービスモードに入ったという通知情報を前記基地局装置に送信するよう構成される送信部と、
前記送信部が、前記ＥＰＣ装置を利用することによって、前記ユーザ装置が前記トランキングサービスモードに入ったという通知情報を前記基地局装置に送信した後、前記基地局装置により送信され、前記間欠受信周期を有する前記無線リソースコネクションコンフィギュレーション情報を受信するよう構成される受信部と、
前記受信部により受信された前記間欠受信周期を前記ユーザ装置自体の間欠受信周期として設定するよう構成される設定部と、
前記ユーザ装置が前記トランキングサービスモードにあるとき、前記受信部により受信された前記無線リソースコネクションコンフィギュレーション情報に従って前記基地局装置とのＲＲＣコネクションを保持するよう構成される保持部と、
を有するユーザ装置を提供する。
【００２４】
第４の態様の第１の可能な実現方式では、前記送信部は、前記ＥＰＣ装置を利用することによって、ベアラ確立リクエスト又はコンテクスト変更リクエストを前記基地局装置に送信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される。
【００２５】
第４の態様の第２の可能な実現方式では、前記送信部は、前記ＥＰＣ装置を利用することによって、ベアラ確立リクエスト又はコンテクスト変更リクエストを前記ユーザ装置に送信するよう具体的に構成され、前記リクエストはトランキングサービス識別子を含み、前記トランキングサービス識別子は、前記ユーザ装置が前記トランキングサービスモードに入ったことを通知するのに利用される。
【００２６】
第４の態様又は第４の態様の第１又は第２の可能な実現方式を参照して、第３の可能な実現方式では、前記受信部は、前記基地局装置により送信され、第１間欠受信周期と第２間欠受信周期とを有する前記無線リソースコネクションコンフィギュレーション情報を受信するよう具体的に構成され、前記第１間欠受信周期は前記第２間欠受信周期より小さく、前記設定部は、前記受信部により受信された前記第１間欠受信周期と前記第２間欠受信周期とを前記ユーザ装置自体の間欠受信周期として設定するよう具体的に構成される。
【００２７】
第４の態様の第３の可能な実現方式を参照して、第４の可能な実現方式では、前記保持部は更に、前記ユーザ装置が前記トランキングサービスモードにあるとき、間欠受信短周期タイマを自動的にクローズするか、又は前記基地局装置の指示に従ってクローズし、前記受信部により受信された前記第１間欠受信周期を利用するよう構成され、前記ユーザ装置が前記トランキングサービスモードから出るとき、前記間欠受信短周期タイマを自動的に起動するか、又は前記基地局装置の指示に従って起動し、前記間欠受信短周期タイマが満了した後、前記受信部により受信された前記第２間欠受信周期を利用するよう構成される。
【００２８】
本発明の実施例の第５の態様は、トランキングサービスを迅速に確立するためのシステムであって、第３の態様において提供された基地局装置、第４の態様において提供されたユーザ装置及びＥＰＣ（Ｅｖｏｌｖｅｄ  Ｐａｃｋｅｔ  Ｃｏｒｅ  ｎｅｔｗｏｒｋ）装置を有し、
前記ＥＰＣ装置は、前記ユーザ装置がトランキングサービスモードに入ったという通知情報を前記基地局装置に送信するよう構成されるシステムを提供する。
【００２９】
第５の態様の第１の可能な実現方式では、前記ＥＰＣ装置は、ベアラ確立リクエスト又はコンテクスト変更リクエストを前記基地局装置に送信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置が前記トランキングサービスモードに入ったことを通知するのに利用される。
【００３０】
第５の態様の第２の可能な実現方式では、前記ＥＰＣ装置は、ベアラ確立リクエスト又はコンテクスト変更リクエストを前記基地局装置に送信するよう具体的に構成され、前記リクエストはトランキングサービス識別子を含み、前記トランキングサービス識別子は、前記ユーザ装置が前記トランキングサービスモードに入ったことを通知するのに利用される。
【発明の効果】
【００３１】
本発明の実施例では、基地局装置は、トランキングサービスモードにあるＵＥとのＲＲＣコネクションを継続的に保持することができる。このようにして、新たなサービスが到来するとき、サービス送信は直接的に実行可能であり、ＵＥは、ＲＲＣ＿ＩＤＬＥ状態からＲＲＣ＿ＣＯＮＮＥＣＴＥＤ状態に遷移する必要なくサービス送信を実行可能であり、これにより、トランキングサービスを確立するための遅延が有意に低減可能であり、トランキングサービスの迅速な確立が確保される。
【図面の簡単な説明】
【００３２】
本発明の実施例における技術的手段をより明確に説明するため、以下において、実施例を説明するのに必要とされる添付図面が簡単に紹介される。明らかに、以下の説明における添付図面は本発明の一部の実施例を単に示し、当業者は、創造的な努力なくこれら添付図面から他の図面を依然として導出してもよい。
【図１】図１は、本発明の実施例１によるトランキングサービスを迅速に確立するための方法のフローチャートである。
【図２】図２は、本発明の実施例２によるトランキングサービスを迅速に確立するための方法のフローチャートである。
【図３】図３は、本発明の実施例３によるトランキングサービスを迅速に確立するための方法のフローチャートである。
【図４】図４は、本発明の実施例４によるトランキングサービスを迅速に確立するための方法のフローチャートである。
【図５】図５は、本発明の実施例５によるトランキングサービスを迅速に確立するための方法のフローチャートである。
【図６】図６は、本発明の実施例６によるトランキングサービスを迅速に確立するための方法のフローチャートである。
【図７】図７は、本発明の実施例７による基地局装置の構成図である。
【図８】図８は、本発明の実施例８による基地局装置の構成図である。
【図９】図９は、本発明の実施例９によるユーザ装置の構成図である。
【図１０】図１０は、本発明の実施例１０によるユーザ装置の構成図である。
【図１１】図１１は、本発明の実施例１１によるトランキングサービスを迅速に確立するためのシステムの構成図である。
【発明を実施するための形態】
【００３３】
以下において、本発明の実施例における添付図面を参照して、本発明の実施例における技術的手段が明確かつ完全に説明される。明らかに、説明される実施例は本発明の実施例の全てでなく単なる一部である。創造的な努力なく本発明の実施例に基づき当業者により取得される他の全ての実施例は、本発明の保護範囲内に属する。
【００３４】
本明細書において説明される技術は、例えば、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、符号分割多重接続（ＣＤＭＡ，Ｃｏｄｅ  Ｄｉｖｉｓｉｏｎ  Ｍｕｌｔｉｐｌｅ  Ａｃｃｅｓｓ）システム、時分割多重接続（ＴＤＭＡ，Ｔｉｍｅ  Ｄｉｖｉｓｉｏｎ  Ｍｕｌｔｉｐｌｅ  Ａｃｃｅｓｓ）システム、ワイドバンド符号分割多重接続（ＷＣＤＭＡ（登録商標），Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）システム、周波数分割多重接続（ＦＤＭＡ，Ｆｒｅｑｕｅｎｃｙ  Ｄｉｖｉｓｉｏｎ  Ｍｕｌｔｉｐｌｅ  Ａｄｄｒｅｓｓｉｎｇ）システム、直交周波数分割多重接続（ＯＦＤＭＡ，Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、シングルキャリアＦＤＭＡ（ＳＣ−ＦＤＭＡ）システム、ＧＰＲＳ（Ｇｅｎｅｒａｌ  Ｐａｃｋｅｔ  Ｒａｄｉｏ  Ｓｅｒｖｉｃｅ）システム、ＬＴＥネットワークシステム及び他の通信システムなどの現在の２Ｇ及び３Ｇ通信システムと次世代の通信システムなどの各種通信システムに適用されてもよい。
【００３５】
本明細書では、ユーザ装置、基地局装置、ＥＰＣ（Ｅｖｏｌｖｅｄ  Ｐａｃｋｅｔ  Ｃｏｒｅ  ｎｅｔｗｏｒｋ）装置及び／又はＰｏＣサーバを特に参照して、各種態様が説明される。
【００３６】
ユーザ装置は、無線端末であってもよい。無線端末は、ユーザに音声及び／又はデータ接続を提供する装置、無線接続機能を備えた携帯装置、又は無線モデムに接続される他の処理装置を表すものであってもよい。無線端末は、無線アクセスネットワーク（ＲＡＮ（Ｒａｄｉｏ  Ａｃｃｅｓｓ  Ｎｅｔｗｏｒｋ）など）を介し１以上のコアネットワークと通信してもよい。無線端末は、携帯電話（“セルラ”フォンとも呼ばれる）などのモバイル端末であってもよく、モバイル端末を備えたコンピュータは、例えば、無線アクセスネットワークと言語及び／又はデータを交換するポータブル、ポケットサイズ、携帯、コンピュータビルトイン又は車両搭載モバイル装置であってもよい。例えば、それは、ＰＣＳ（Ｐｅｒｓｏｎａｌ  Ｃｏｍｍｕｎｉｃａｔｉｏｎ  Ｓｅｒｖｉｃｅ）フォン、コードレス電話セット、ＳＩＰ（Ｓｅｓｓｉｏｎ  Ｉｎｉｔｉａｔｉｏｎ  Ｐｒｏｔｏｃｏｌ）フォン、無線ローカルループ（ＷＬＬ，Ｗｉｒｅｌｅｓｓ  Ｌｏｃａｌ  Ｌｏｏｐ）ステーション又はＰＤＡ（Ｐｅｒｓｏｎａｌ  Ｄｉｇｉｔａｌ  Ａｓｓｉｓｔａｎｔ）などの装置であってもよい。無線端末はまた、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイル端末（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス又はユーザ装置と呼ばれてもよい。
【００３７】
基地局装置（アクセスポイントなど）は、アクセスネットワーク上で無線インタフェースを介し１以上のセクタを利用することによって、無線端末と通信する装置を表すものであってもよい。基地局装置は、受信した無線フレーム及びＩＰパケットを相互変換し、無線端末とアクセスネットワークの残りの部分との間のルータとして機能するよう構成されてもよく、ここで、アクセスネットワークの残りの部分はインターネットプロトコル（ＩＰ）ネットワークを含むものであってもよい。基地局装置はまた、無線インタフェースの属性管理を調整してもよい。例えば、基地局装置は、ＧＳＭ（登録商標）又はＣＤＭＡにおける送受信基地局（ＢＴＳ，Ｂａｓｅ  Ｔｒａｎｓｃｅｉｖｅｒ  Ｓｔａｔｉｏｎ）であってもよく、またＷＣＤＭＡ（登録商標）におけるＮｏｄｅＢであってもよく、さらにＬＴＥにおけるｅｖｏｌｖｅｄ  ＮｏｄｅＢ（ＮｏｄｅＢ，ｅＮＢ又はｅ−ＮｏｄｅＢ，ｅｖｏｌｕｔｉｏｎａｌ  ＮｏｄｅＢ）であってもよく、本発明の実施例では限定されない。
【００３８】
ＥＰＣ装置は、いつでもどこでもブロードバンドアクセスを提供し、ユーザの要求をより良好に充足させるため、各種アプリケーションを提供することができる。これは、当業者により周知な通常の知識であり、本発明の実施例では繰り返し説明されない。
【００３９】
さらに、本明細書における“及び／又は”という用語は、関連するオブジェクトを説明するための単なる関連付けの関係を説明し、３つの関係が存在しうることを表す。例えば、Ａ及び／又はＢは、以下の３つのケース、すなわち、Ａのみが存在する、ＡとＢとの双方が存在する、及びＢのみが存在することを表すものであってもよい。さらに、本明細書における“／”というシンボルは、一般に関連するオブジェクトの間の“又は”の関係を示す。
【００４０】
本発明の実施例は、トランキングサービスを迅速に確立するための方法、関連する装置及びシステムを提供し、これにより、トランキングサービスを確立するための遅延を効果的に低減し、トランキングサービスの迅速な確立を確保する。以下において、詳細な説明が提供される。
【００４１】
以降の説明の簡単化のため、本発明の実施例では、ＵＥのサービスモードは、通常サービスモードとトランキングサービスモードとに分けられる。ＬＴＥネットワークシステムが、一例として利用される。通常モードでは、ＵＥは通常のＬＴＥサービスを実行可能であり、トランキングサービスモードでは、ＵＥはトランキングサービスを開始又は受信可能であり、また通常のＬＴＥサービスに応答可能である。
【００４２】
実施例１
図１を参照して、図１は、本発明の実施例１によるトランキングサービスを迅速に確立するための方法のフローチャートである。図１に示されるトランキングサービスを迅速に確立するための方法は、基地局装置（例えば、ｅＮＢなど）の観点から説明される。図１に示されるように、トランキングサービスを迅速に確立するための方法は、以下のステップを有してもよい。
【００４３】
１０１．基地局装置が、ＵＥがトランキングサービスモードに入ったという通知情報を受信し、ここで、通知情報はＥＰＣ装置により送信される。
【００４４】
可能な実現方式として、基地局装置は、ＥＰＣ装置により送信されたベアラ確立リクエスト又はコンテクスト変更リクエストを受信してもよく、当該リクエストはトランキングサービスベアラのＱｏＳ（Ｑｕａｌｉｔｙ  ｏｆ  Ｓｅｒｖｉｃｅ）クラス識別子（ＱＣＩ）パラメータを含み、トランキングサービスベアラのＱＣＩパラメータは、ＵＥがトランキングサービスモードに入ったことを通知するのに利用される。
【００４５】
他の可能な実現方式として、基地局装置はまた、ＥＰＣにより送信されたベアラ確立リクエスト又はＵＥコンテクスト変更リクエストを受信してもよく、当該リクエストはトランキングサービス識別子を含み、トランキングサービス識別子は、ＵＥがトランキングサービスモードに入ったことを通知するのに利用される。
【００４６】
１０２．基地局装置が、通知情報に応答し、ＵＥとのＲＲＣコネクションを構成する。
【００４７】
他の可能な実現方式として、基地局装置が、ＵＥとのＲＲＣコネクションを実現するため、ＵＥにＲＲＣコネクションリコンフィギュレーションリクエストを送信し、ＵＥにより返されたＲＲＣコネクションリコンフィギュレーションコンプリーションレスポンスを受信してもよい。
【００４８】
１０３．基地局装置が、通知情報に応答し、間欠受信周期（ＤＲＸ周期）を有する無線リソースコネクションコンフィギュレーション情報を生成する。
【００４９】
可能な実現方式として、基地局装置は、通知情報に応答し、第１ＤＲＸ周期と第２ＤＲＸ周期とを有する無線リソースコネクションコンフィギュレーション情報を生成してもよく、ここで、第１ＤＲＸ周期は第２ＤＲＸ周期より小さい。
【００５０】
１０４．基地局装置が、無線リソースコネクションコンフィギュレーション情報をＵＥに送信し、これにより、ＵＥは、基地局装置により生成されたＤＲＸ周期をＵＥ自体のＤＲＸ周期として設定する。
【００５１】
例えば、基地局装置により生成されたＤＲＸ周期が第１ＤＲＸ周期と第２ＤＲＸ周期とを含むとき、ＵＥは、基地局装置により送信され、第１ＤＲＸ周期と第２ＤＲＸ周期とを含む無線リソースコネクションコンフィギュレーション情報を受信し、第１ＤＲＸ周期と第２ＤＲＸ周期とをＵＥ自体のＤＲＸ周期として設定してもよい。
【００５２】
ＵＥがトランキングサービスモードにあるとき、ＵＥは、間欠受信短周期タイマ（ｄｒｘＳｈｏｒｔＣｙｃｌｅＴｉｍｅｒ）を自動的にクローズするか、又は基地局装置の指示に従ってクローズし、第１ＤＲＸ周期を利用してもよく、これにより、ＵＥの電力消費が低減でき、ＵＥがトランキングサービスモードから出ると（すなわち、ＵＥが通常サービスモードに入ると）、ＵＥは、間欠受信短周期タイマ（ｄｒｘＳｈｏｒｔＣｙｃｌｅＴｉｍｅｒ）を自動的に起動するか、又は基地局装置の指示に従って起動し、ｄｒｘＳｈｏｒｔＣｙｃｌｅＴｉｍｅｒが満了した後、第２ＤＲＸ周期を利用してもよく、これにより、ＵＥの通常サービスモードに復帰できる。
【００５３】
本発明の本実施例では、第１ＤＲＸ周期は第２ＤＲＸ周期より小さい。従って、以降において、本発明の本実施例では、第１ＤＲＸ周期はショートＤＲＸ周期と呼ばれ、第２ＤＲＸ周期はロングＤＲＸ周期と呼ばれる。ＵＥは、ショートＤＲＸ周期とロングＤＲＸ周期との双方により設定され、ＵＥはまず、トランキングサービスモードにおいてショートＤＲＸを利用する。従って、ｄｒｘＳｈｏｒｔＣｙｃｌｅＴｉｍｅｒのクローズは、ｄｒｘＳｈｏｒｔＣｙｃｌｅＴｉｍｅｒの満了によりロングＤＲＸが利用されることを防ぐことができ、これにより、トランキングサービスモードにおけるＵＥの電力消費が低減できる。ＵＥがトランキングサービスモードから出た後、ｄｒｘＳｈｏｒｔＣｙｃｌｅＴｉｍｅｒが起動でき、ｄｒｘＳｈｏｒｔＣｙｃｌｅＴｉｍｅｒが満了すると、ロングＤＲＸが利用され、これにより、ＵＥの通常サービスモードに復帰できる。
【００５４】
１０５．ＵＥがトランキングサービスモードにあるとき、基地局装置は、無線リソースコネクションコンフィギュレーション情報に従ってＵＥとのＲＲＣコネクションを保持する。
【００５５】
可能な実現方式として、図１に示されるトランキングサービスを迅速に確立するための方法では、基地局装置は、トランキングサービスモードに入る間欠受信コマンド（ＭＡＣ  Ｔｒｕｎｋｉｎｇ  ＤＲＸ  Ｃｏｍｍａｎｄ）をＵＥに送信してもよく、当該コマンドは、ＵＥがトランキングサービスモードにあるとき、第１ＤＲＸ周期及びｄｒｘＳｈｏｒｔＣｙｃｌｅＴｉｍｅｒを利用するようＵＥに指示するのに利用される。
【００５６】
図１に示されるトランキングサービスを迅速に確立するための方法では、基地局装置は、トランキングサービスモードにあるＵＥとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【００５７】
実施例２
図２を参照して、図２は、本発明の実施例２によるトランキングサービスを迅速に確立するための方法のフローチャートである。図２に示されるトランキングサービスを迅速に確立するための方法は、ＵＥの観点から説明される。図２に示されるように、トランキングサービスを迅速に確立するための方法は、以下のステップを有してもよい。
【００５８】
２０１．ＵＥが、ＥＰＣ装置を利用することによって、ＵＥとのＲＲＣコネクションを構成し、ＤＲＸ周期を有する無線リソースコネクションコンフィギュレーション情報を生成し、無線リソースコネクションコンフィギュレーション情報をＵＥに送信するよう基地局装置をトリガするため、ＵＥがトランキングサービスモードに入ったという通知情報を基地局装置に送信する。
【００５９】
任意的な実現方式として、ＵＥは、ＥＰＣ装置を利用することによって、ベアラ確立リクエスト又はコンテクスト変更リクエストを基地局装置に送信してもよく、当該リクエストはトランキングサービスベアラのＱＣＩパラメータを含み、トランキングサービスベアラのＱＣＩパラメータは、ＵＥがトランキングサービスモードに入ったことを通知するのに利用される。
【００６０】
他の任意的な実現方式として、ＵＥは、ＥＰＣ装置を利用することによって、ベアラ確立リクエスト又はコンテクスト変更リクエストを基地局装置に送信してもよく、当該リクエストはトランキングサービス識別子を含み、トランキングサービス識別子は、ＵＥがトランキングサービスモードに入ったことを通知するのに利用される。
【００６１】
２０２．ＵＥが、基地局装置により送信され、ＤＲＸ周期を有する無線リソースコネクションコンフィギュレーション情報を受信し、ＤＲＸ周期をＵＥ自体のＤＲＸ周期として設定する。
【００６２】
例えば、ＵＥは、基地局装置により送信され、第１ＤＲＸ周期と第２ＤＲＸ周期とを有する無線リソースコネクションコンフィギュレーション情報を受信してもよく、第１ＤＲＸ周期は第２ＤＲＸ周期より小さい。ＵＥは、第１ＤＲＸ周期と第２ＤＲＸ周期とをＵＥ自体のＤＲＸ周期として設定してもよい。
【００６３】
２０３．ＵＥがトランキングサービスモードにあるとき、ＵＥが、無線リソースコネクションコンフィギュレーション情報に従って基地局装置とのＲＲＣコネクションを保持する。
【００６４】
本発明の本実施例では、ＵＥがトランキングサービスモードにあるとき、ＵＥは、間欠受信短周期タイマ（ｄｒｘＳｈｏｒｔＣｙｃｌｅＴｉｍｅｒ）を自動的にクローズするか、又は基地局装置の指示に従ってクローズし、第１ＤＲＸ周期を利用してもよく、これにより、ＵＥの電力消費が低減でき、ＵＥがトランキングサービスモードから出ると（すなわち、ＵＥが通常サービスモードに入ると）、ＵＥは、間欠受信短周期タイマ（ｄｒｘＳｈｏｒｔＣｙｃｌｅＴｉｍｅｒ）を自動的に起動するか、又は基地局装置の指示に従って起動し、ｄｒｘＳｈｏｒｔＣｙｃｌｅＴｉｍｅｒが満了した後、第２ＤＲＸ周期を利用してもよく、これにより、ＵＥの通常サービスモードに復帰できる。
【００６５】
図２に示されるトランキングサービスを迅速に確立するための方法では、ＵＥは、トランキングサービスモードにあるとき、基地局装置とのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【００６６】
実施例３
図３を参照して、図３は、本発明の実施例３によるトランキングサービスを迅速に確立するための方法のフローチャートである。図３に示されるトランキングサービスを迅速に確立するための方法は、ＵＥ、基地局装置（ｅＮＢ）、ＥＰＣ装置及びＰｏＣサーバの観点から説明される。図３に示されるように、トランキングサービスを迅速に確立するための方法は、以下のステップを有してもよい。
【００６７】
３０１．トランキングサービスモードに入った後、ＵＥは、トランキングサービスを可能にするため、トランキングサービスレジストレーションリクエストをＰｏＣサーバに送信する。
【００６８】
３０２．ＰｏＣサーバは、ＵＥがトランキングサービスモードに入ったという通知をＥＰＣに送信する。
【００６９】
３０３．ＥＰＣは、ベアラ確立リクエストをｅＮＢに送信し、ここで、ベアラ確立リクエストはトランキングサービスベアラのＱＣＩパラメータを含み、トランキングサービスベアラのＱＣＩパラメータは、ＵＥがトランキングサービスモードに入ったことを通知するのに利用される。
【００７０】
上記のステップ３０１〜３０３は、ＵＥが、ＥＰＣ装置を利用することによって、ＵＥがトランキングサービスモードに入ったという通知情報をｅＮＢに送信するという目的を達成する。
【００７１】
テーブル１を参照して、テーブル１は、ＱＣＩパラメータとサービスタイプとの間の対応関係をリストする。ＥＰＣにより送信されたベアラ確立リクエストを受信した後、ｅＮＢは、トランキングサービスベアラのＱＣＩパラメータ（ＱＣＩ＝１０／１１）に従って、ＵＥがトランキングサービスモードにあることを特定できる。
【表１】
2015530051.tif 000003
【００７２】
３０４．ＥＰＣは、ＵＥがトランキングサービスモードに入ったという通知に対するレスポンス２００  ＯＫをＰｏＣサーバに返す。
【００７３】
３０５．ＥＰＣは、ＰｏＣサーバにより送信されたアクノリッジメントメッセージＡＣＫを受信する。
【００７４】
３０６．ｅＮＢは、ＲＲＣコネクションリコンフィギュレーションリクエストをＵＥに送信する。
【００７５】
３０７．ｅＮＢは、ｅＮＢとＵＥとの間のＲＲＣコネクションを実現するため、ＵＥにより返されるＲＲＣコネクションリコンフィギュレーションコンプリーションレスポンスを受信する。
【００７６】
３０８．ｅＮＢは、ベアラ確立リクエストコンプリーションレスポンスをＥＰＣに返す。
【００７７】
３０９〜３１０．ある期間サービス送信がない場合、ｅＮＢは、ＵＥにＤＲＸ状態に入ることを指示するため、間欠受信状態に入るコマンド（ＭＡＣ  ＤＲＸ  Ｃｏｍｍａｎｄ）をＵＥに送信する。
【００７８】
３１０．ＵＥがトランキングサービスモードにあるとき、ｅＮＢは、サービス送信があるか否かに関係なく、ＵＥとのＲＲＣコネクションを継続的に保持し、無線リソースを解放しない。
【００７９】
３１２．トランキングサービスモードから出た後、ＵＥは、トランキングサービスをクローズするため、トランキングサービスデレジストレーションリクエストをＰｏＣサーバに送信する。
【００８０】
本発明の本実施例では、ＵＥが長時間非アクティブであるとき、ステップ３１２は実行されなくてもよく、ＰｏＣサーバはステップ３１３を自動的に開始する。
【００８１】
３１３．ＰｏＣサーバは、ＵＥがトランキングサービスモードから出たという通知をＥＰＣに送信する。
【００８２】
３１４．ＥＰＣは、ベアラリリースリクエストをｅＮＢに送信する。
【００８３】
３１５．ＥＰＣは、ＵＥがトランキングサービスモードから出たという通知に対するレスポンス２００  ＯＫをＰｏＣサーバに返す。
【００８４】
３１６．ＥＰＣは、ＰｏＣサーバにより送信されたアクノリッジメントメッセージＡＣＫを受信する。
【００８５】
３１７．ｅＮＢは、ＲＲＣコネクションリリースリクエストをＵＥに送信する。
【００８６】
３１８．ｅＮＢは、ＵＥにより返されたＲＲＣコネクションリリースコンプリーションレスポンスを受信し、ｅＮＢとＵＥとの間のＲＲＣコネクションを解放する。
【００８７】
３１９．ｅＮＢは、ベアラリリースリクエストコンプリーションレスポンスをＥＰＣに返す。
【００８８】
３２０．ＵＥは、通常サービスモードに入る。ある期間サービス送信がない場合、ＵＥはＤＲＸ状態に入る。サービス送信がもう１つの期間にもない場合、ＵＥはＲＲＣ＿ＩＤＬＥ状態に入る。
【００８９】
図３に示されるトランキングサービスを迅速に確立するための方法では、ｅＮＢは、トランキングサービスモードにあるＵＥとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【００９０】
実施例４
図４を参照して、図４は、本発明の実施例４によるトランキングサービスを迅速に確立するための方法のフローチャートである。図４に示されるトランキングサービスを迅速に確立するための方法は、ＵＥ、基地局装置（ｅＮＢ）、ＥＰＣ装置及びＰｏＣサーバの観点から説明される。図４に示される方法と異なって、図４に示される方法では、ＥＰＣは、Ｓ１インタフェースを利用してトランキングサービス識別子を搬送することによってＵＥコンテクストを変更してもよく、ここで、トランキングサービス識別子は、ＵＥがトランキングサービスモードに入ったことを通知するのに利用される。図４に示されるように、トランキングサービスを迅速に確立するための方法は、以下のステップを有してもよい。
【００９１】
４０１．トランキングサービスモードに入った後、ＵＥは、ＮＡＳメッセージをＥＰＣに送信し、ここで、当該ＮＡＳメッセージは、ＵＥがトランキングサービスモードに入ったことをＥＰＣに通知するのに利用される。
【００９２】
４０２．ＥＰＣは、Ｓ１インタフェースを利用することによって、コンテクスト変更リクエストをｅＮＢに送信し、ここで、当該コンテクスト変更リクエストは、ＵＥがトランキングサービスモードに入ったことを通知するのに利用される拡張されたトランキングサービス識別子ＴｒｕｎｋｅｄＵＥＦｌａｇ＝ｔｒｕｅを含む。
【００９３】
上記のステップ４０１〜４０２は、ＥＰＣ装置を利用することによって、ＵＥがトランキングサービスモードに入ったという通知情報をｅＮＢに送信するという目的を達成する。
【００９４】
４０３．ｅＮＢは、ＵＥとのＲＲＣコネクションを構成し、ＵＥについてトランキングサービスモードにおいてショートＤＲＸ周期を設定する。
【００９５】
４０４．ｅＮＢは、コンテクスト変更リクエストレスポンスをＥＰＣに返す。
【００９６】
４０５〜４０６．ある期間サービス送信がない場合、ｅＮＢは、ＤＲＸ状態に入るようＵＥに指示するため、ＭＡＣ  ＤＲＸ  ＣｏｍｍａｎｄコマンドをＵＥに送信する。
【００９７】
４０７．ＵＥがトランキングサービスモードにあるとき、ｅＮＢは、サービス送信があるか否かに関係なく、ＵＥとのＲＲＣコネクションを継続的に保持し、無線リソースを解放しない。
【００９８】
４０８．トランキングサービスモードから出た後、ＵＥは、ＮＡＳメッセージをＥＰＣに送信し、ここで、当該ＮＡＳメッセージは、ＵＥがトランキングサービスモードから出たことをＥＰＣに通知するのに利用される。
【００９９】
４０９．ＥＰＣは、Ｓ１インタフェースを利用することによって、ＵＥコンテクスト変更リクエストをｅＮＢに送信し、ここで、ＵＥコンテクスト変更リクエストは、ＵＥがトランキングサービスモードから出たことを通知するのに利用されるＵＥイグジットトランキングサービス識別子ＴｒｕｎｋｅｄＵＥＦｌａｇ＝ｆａｌｓｅを含む。
【０１００】
４１０．ｅＮＢは、ＵＥとのＲＲＣコネクションを解放し、ＵＥについて通常サービスモードにおいてロングＤＲＸ周期を設定する。
【０１０１】
４１０．ｅＮＢは、ＵＥコンテクスト変更リクエストレスポンスをＥＰＣに返す。
【０１０２】
４１１．ＵＥは、通常サービスモードに入る。ある期間サービス送信がない場合、ｅＮＢは、ＤＲＸ状態に入るようＵＥに指示する。サービス送信がもう１つの期間にもない場合、ｅＮＢは、無線インタフェースリソースを解放する。
【０１０３】
図４に示されるトランキングサービスを迅速に確立するための方法では、トランキングサービスモードにおけるＵＥが、ｅＮＢとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【０１０４】
実施例５
図５を参照して、図５は、本発明の実施例５によるトランキングサービスを迅速に確立するための方法のフローチャートである。図５に示されるトランキングサービスを迅速に確立するための方法は、ＵＥ、基地局装置（ｅＮＢ）、ＥＰＣ装置及びＰｏＣサーバの観点から説明される。図４に示される方法と異なって、図５に示される方法では、ｅＮＢは、ＵＥに対してトランキングサービスモードにおいて利用されるショートＤＲＸ周期と通常サービスモードにおいて利用されるロングＤＲＸ周期との双方を設定することができ、これにより、トランキングサービスモードにおいて、ＵＥはショートＤＲＸ周期状態で常時動作し、通常サービスモードにおいて、ＵＥはまずショートＤＲＸ周期状態で動作し、その後にロングＤＲＸ周期状態にスイッチすることができる。図５に示されるように、トランキングサービスを迅速に確立するための方法は、以下のステップを有してもよい。
【０１０５】
５０１．トランキングサービスモードに入った後、ＵＥは、ＮＡＳメッセージをＥＰＣに送信し、ここで、当該ＮＡＳメッセージは、ＵＥがトランキングサービスモードに入ったことをＥＰＣに通知するのに利用される。
【０１０６】
５０２．ＥＰＣは、Ｓ１インタフェースを利用することによって、コンテクスト変更リクエストをｅＮＢに送信し、ここで、当該コンテクスト変更リクエストは、ＵＥがトランキングサービスモードに入ったことを通知するのに利用される拡張されたトランキングサービス識別子ＴｒｕｎｋｅｄＵＥＦｌａｇ＝ｔｒｕｅを含む。
【０１０７】
５０３〜５０４．ｅＮＢは、ＵＥとのＲＲＣコネクションを構成し、ＵＥについてトランキングサービスモードにおいて利用されるＤＲＸ周期と、通常サービスモードにおいて利用されるロングＤＲＸ周期とを設定する。
【０１０８】
５０５．ｅＮＢは、コンテクスト変更リクエストレスポンスをＥＰＣに返す。
【０１０９】
５０６〜５０７．ある期間サービス送信がない場合、ｅＮＢは、ＤＲＸ状態に入るようＵＥに指示するため、ＭＡＣ  ＤＲＸ  ＣｏｍｍａｎｄコマンドをＵＥに送信する。ＵＥはショートＤＲＸ周期とロングＤＲＸ周期との双方により設定されるため、ＵＥはまずショートＤＲＸを利用し、その後、ｄｒｘＳｈｏｒｔＣｙｃｌｅＴｉｍｅｒが満了した後にロングＤＲＸを利用する。実施例では、ＵＥはｄｒｘＳｈｏｒｔＣｙｃｌｅＴｉｍｅｒを自動的にクローズする必要があり、これにより、ＵＥはトランキングサービスモードにおいてショートＤＲＸ状態からロングＤＲＸ状態に自動的には遷移することはできない。
【０１１０】
５０８．ＵＥがトランキングサービスモードにあるとき、ＵＥは、サービス送信があるか否かに関係なく、ＵＥとのＲＲＣコネクションを継続的に保持し、無線リソースを解放しない。
【０１１１】
５０９．トランキングサービスモードから出た後、ＵＥは、ＮＡＳメッセージをＥＰＣに送信し、ここで、当該ＮＡＳメッセージは、ＵＥがトランキングサービスモードから出た（すなわち、ＵＥが通常サービスモードに入った）ことをＥＰＣに通知するのに利用される。
【０１１２】
５１０．ＵＥは、ｄｒｘＳｈｏｒｔＣｙｃｌｅＴｉｍｅｒを起動する。
【０１１３】
５１１．ＥＰＣは、Ｓ１インタフェースを利用することによって、コンテクスト変更リクエストをｅＮＢに送信し、ここで、コンテクスト変更リクエストは、ＵＥがトランキングサービスモードを出た（すなわち、ＵＥが通常サービスモードに入った）ことを通知するのに利用されるＵＥイグジットトランキングサービス識別子ＴｒｕｎｋｅｄＵＥＦｌａｇ＝ｆａｌｓｅを含む。
【０１１４】
５１２．ＵＥは、ｄｒｘＳｈｏｒｔＣｙｃｌｅＴｉｍｅｒが満了すると、ロングＤＲＸ状態に入る。
【０１１５】
５１３．ｅＮＢは、コンテクスト変更リクエストレスポンスをＥＰＣに返す。
【０１１６】
５１４．ＵＥは、通常サービスモードに入る。ある期間サービス送信がない場合、ｅＮＢは、ＵＥとのＲＲＣコネクションを解放する。
【０１１７】
図５に示されるトランキングサービスを迅速に確立するための方法では、トランキングサービスモードにおけるＵＥが、ｅＮＢとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【０１１８】
実施例６
図６を参照して、図６は、本発明の実施例５によるトランキングサービスを迅速に確立するための方法のフローチャートである。図６に示されるトランキングサービスを迅速に確立するための方法は、ＵＥ、基地局装置（ｅＮＢ）、ＥＰＣ装置及びＰｏＣサーバの観点から説明される。図４及び図５に示される方法と異なって、図６に示される方法では、ｅＮＢは、トランキングサービスモードに入る間欠受信コマンド（ＭＡＣ  Ｔｒｕｎｋｉｎｇ  ＤＲＸ  Ｃｏｍｍａｎｄ）を拡張し、それは、ＵＥがトランキングサービスモードにあるとき、ショートＤＲＸを利用し、ｄｒｘＳｈｏｒｔＣｙｃｌｅＴｉｍｅｒをクローズするようＵＥに指示するのに利用され、これにより、ＵＥがｄｒｘＳｈｏｒｔＣｙｃｌｅＴｉｍｅｒの満了のためロングＤＲＸを利用することを防ぐ。図６に示されるように、トランキングサービスを迅速に確立するための方法は、以下のステップを有してもよい。
【０１１９】
ステップ６０１〜６０５はそれぞれステップ５０１〜５０５と同じであり、本発明の本実施例では繰り返して説明されない。
【０１２０】
６０６〜６０７．ある期間サービス送信がない場合、ｅＮＢは、ＵＥがトランキングサービスモードにあるとき、ショートＤＲＸを利用し、ｄｒｘＳｈｏｒｔＣｙｃｌｅＴｉｍｅｒをクローズし、ＤＲＸ状態に入るようＵＥに指示するため、ＭＡＣ  Ｔｒｕｎｋｉｎｇ  ＤＲＸ  ＣｏｍｍａｎｄコマンドをＵＥに送信する。ＵＥがショートＤＲＸサイクルとロングＤＲＸサイクルとの双方により設定されるため、ＵＥはまずショートＤＲＸを利用し、その後、ｄｒｘＳｈｏｒｔＣｙｃｌｅＴｉｍｅｒが満了した後にロングＤＲＸを利用する。本実施例では、ＵＥは、ｅＮＢのコマンドに従ってｄｒｘＳｈｏｒｔＣｙｃｌｅＴｉｍｅｒをクローズする必要があり、これにより、ＵＥは、トランキングサービスモードにおいてショートＤＲＸ状態からロングＤＲＸ状態に自動的には遷移することはできない。
【０１２１】
ステップ６０８〜６１４はそれぞれステップ５０４〜５１４と同じであり、本発明の本実施例では繰り返しては説明されない。
【０１２２】
図６に示されるトランキングサービスを迅速に確立するための方法では、トランキングサービスモードにおけるＵＥが、ｅＮＢとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１２３】
実施例７
図７を参照して、図７は、本発明の実施例７による基地局装置の構成図である。図７に示されるように、基地局装置は、
ＵＥがトランキングサービスモードに入ったという通知情報を受信するよう構成される受信部７０１であって、当該通知情報はＥＰＣ装置により送信される、受信部７０１と、
通知情報に応答し、基地局装置とＵＥとの間のＲＲＣコネクションを構成するよう構成される構成部７０２と、
通知情報に応答し、ＤＲＸ周期を有する無線リソースコネクションコンフィギュレーション情報を生成するよう構成される生成部７０３と、
無線リソースコネクションコンフィギュレーション情報をＵＥに送信するよう構成される送信部７０４であって、ＵＥはＤＲＸ周期をＵＥ自体のＤＲＸ周期として設定する、送信部７０４と、
ＵＥがトランキングサービスモードにあるとき、トランキングサービスを迅速に確立するため、無線リソースコネクションコンフィギュレーション情報に従ってＵＥとのＲＲＣコネクションを保持するよう構成される保持部７０５と、
を有する。
【０１２４】
可能な実現方式として、受信部７０１は、ＥＰＣ装置により送信されるベアラ確立リクエスト又はコンテクスト変更リクエストを受信するよう具体的に構成され、当該リクエストはトランキングサービスベアラのＱＣＩパラメータを含み、トランキングサービスベアラのＱＣＩパラメータは、ＵＥがトランキングサービスモードに入ったことを通知するのに利用される。
【０１２５】
他の可能な実現方式として、受信部７０１は、ＥＰＣ装置により送信されるベアラ確立リクエスト又はコンテクスト変更リクエストを受信するよう具体的に構成され、当該リクエストはトランキングサービス識別子を含み、トランキングサービス識別子は、ＵＥがトランキングサービスモードに入ったことを通知するのに利用される。
【０１２６】
可能な実現方式として、構成部７０２は、基地局装置とＵＥとの間のＲＲＣコネクションを実現するため、通知情報に応答し、ＲＲＣコネクションリコンフィギュレーションリクエストをＵＥに送信し、ＵＥにより返されたＲＲＣコネクションリコンフィギュレーションレスポンスを受信するよう具体的に構成される。
【０１２７】
可能な実現方式として、生成部７０３は、通知情報に応答し、第１ＤＲＸ周期と第２ＤＲＸ周期とを有する無線リソースコネクションコンフィギュレーション情報を生成するよう具体的に構成され、第１ＤＲＸ周期は第２ＤＲＸ周期より小さい。従って、ＵＥは、第１ＤＲＸ周期と第２ＤＲＸ周期とをＵＥ自体のＤＲＸ周期として設定してもよい。ＵＥがトランキングサービスモードにあるとき、ＵＥは、ｄｒｘＳｈｏｒｔＣｙｃｌｅＴｉｍｅｒを自動的にクローズするか、又は基地局装置の指示に従ってクローズし、第１ＤＲＸサイクルを利用してもよく、これにより、ＵＥの電力消費を低減し、ＵＥがトランキングサービスモードを出るとき、ＵＥは、ｄｒｘＳｈｏｒｔＣｙｃｌｅＴｉｍｅｒを自動的に起動するか、又は基地局装置の指示に従って起動し、ｄｒｘＳｈｏｒｔＣｙｃｌｅＴｉｍｅｒが満了した後に第２ＤＲＸ周期を利用してもよく、これにより、ＵＥの通常サービスモードが復帰できる。
【０１２８】
可能な実現方式として、図７に示される基地局装置において、送信部７０４は更に、トランキングサービスモードに入る間欠受信コマンド（ＭＡＣ  Ｔｒｕｎｋｉｎｇ  ＤＲＸ  Ｃｏｍｍａｎｄ）をＵＥに送信するよう構成され、当該コマンドは、ＵＥがトランキングサービスモードにあるとき、第１ＤＲＸ周期を利用し、ｄｒｘＳｈｏｒｔＣｙｃｌｅＴｉｍｅｒをクローズするようＵＥに指示するのに利用される。
【０１２９】
図７に示される基地局装置は、トランキングサービスモードにおけるＵＥとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１３０】
実施例８
図８を参照して、図８は、本発明の実施例８による基地局装置の構成図である。図８に示されるように、基地局装置は、受信機８０１、プロセッサ８０２及び送信機８０３を有してもよい。本発明のいくつかの実施例では、受信機８０１、プロセッサ８０２及び送信機８０３は、バスを用いて、又は他の方法により接続されてもよく、図８では、バスを用いることによってそれらを接続することが一例として利用され、ここで、
受信機８０１は、ＵＥがトランキングサービスモードに入ったという通知情報を受信するよう構成され、ここで、当該通知情報はＥＰＣ装置により送信され、
プロセッサ８０２は、通知情報に応答し、基地局装置とＵＥとの間のＲＲＣコネクションを構成し、ＤＲＸ周期を含む無線リソースコネクションコンフィギュレーション情報を生成するよう構成され、
送信機８０３は、無線リソースコネクションコンフィギュレーション情報を送信するよう構成され、これにより、ＵＥはＤＲＸ周期をＵＥ自体のＤＲＸ周期として設定し、
プロセッサ８０２は更に、ＵＥがトランキングサービスモードにあるとき、無線リソースコネクションコンフィギュレーション情報に従ってＵＥとのＲＲＣコネクションを保持するよう構成される。
【０１３１】
可能な実現方式として、受信機８０１は、ＥＰＣ装置により送信されるベアラ確立リクエスト又はコンテクスト変更リクエストを受信するよう具体的に構成され、ここで、当該リクエストはトランキングサービスベアラのＱＣＩパラメータを含み、トランキングサービスベアラのＱＣＩパラメータは、ＵＥがトランキングサービスモードに入ったことを通知するのに利用される。
【０１３２】
他の可能な実現方式として、受信部７０１は、ＥＰＣ装置により送信されたベアラ確立リクエスト又はコンテクスト変更リクエストを受信するよう具体的に構成され、ここで、当該リクエストはトランキングサービス識別子を含み、トランキングサービス識別子は、ＵＥがトランキングサービスモードに入ったことを通知するのに利用される。
【０１３３】
可能な実現方式として、プロセッサ８０２が通知情報に応答し、基地局装置とＵＥとの間のＲＲＣコネクションを構成することは、具体的には、
プロセッサ８０２が、基地局装置とＵＥとの間のＲＲＣコネクションを実現するため、通知情報に応答し、ＲＲＣコネクションリコンフィギュレーションリクエストをＵＥに送信し、ＵＥにより返されるＲＲＣコネクションリコンフィギュレーションレスポンスを受信することであってもよい。
【０１３４】
可能な実現方式として、プロセッサ８０２が通知情報に応答し、ＤＲＸ周期を含む無線リソースコネクションコンフィギュレーション情報を生成することは、具体的には、
プロセッサ８０２は、通知情報に応答し、第１ＤＲＸ周期と第２ＤＲＸ周期とを含む無線リソースコネクションコンフィギュレーション情報を生成し、ここで、第１ＤＲＸ周期は第２ＤＲＸ周期より小さいことであってもよい。従って、ＵＥは、第１ＤＲＸ周期と第２ＤＲＸ周期とをＵＥ自体のＤＲＸ周期として設定してもよい。ＵＥがトランキングサービスモードにあるとき、ＵＥは、ｄｒｘＳｈｏｒｔＣｙｃｌｅＴｉｍｅｒを自動的にクローズするか、又は基地局装置の指示に従ってクローズし、第１ＤＲＸ周期を利用してもよく、これにより、ＵＥの電力消費を低減し、ＵＥがトランキングサービスモードから出ると、ＵＥは、ｄｒｘＳｈｏｒｔＣｙｃｌｅＴｉｍｅｒを自動的に起動するか、又は基地局装置の指示に従って起動し、ｄｒｘＳｈｏｒｔＣｙｃｌｅＴｉｍｅｒが満了した後に第２ＤＲＸ周期を利用してもよく、これにより、ＵＥの通常サービスモードが復帰可能である。
【０１３５】
可能な実現方式として、送信機８０３は更に、トランキングサービスモードに入る間欠受信コマンド（ＭＡＣ  Ｔｒｕｎｋｉｎｇ  ＤＲＸ  Ｃｏｍｍａｎｄ）をＵＥに送信するよう構成され、ここで、当該コマンドは、ＵＥがトランキングサービスモードにあるとき、第１ＤＲＸ周期を利用し、ｄｒｘＳｈｏｒｔＣｙｃｌｅＴｉｍｅｒをクローズするようＵＥに指示するのに利用される。
【０１３６】
図８に示される基地局装置は、トランキングサービスモードにあるＵＥとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１３７】
実施例９
図９を参照して、図９は、本発明の実施例９によるユーザ装置の構成図である。図９に示されるように、ユーザ装置は、
ＥＰＣ装置を利用することによって、ユーザ装置とのＲＲＣコネクションを構成し、ＤＲＸ周期を有する無線リソースコネクションコンフィギュレーション情報を生成し、無線リソースコネクションコンフィギュレーション情報をユーザ装置に送信するよう基地局装置をトリガするため、ユーザ装置がトランキングサービスモードに入ったという通知情報を基地局装置に送信するよう構成される送信部９０１と、
基地局装置により送信され、ＤＲＸ周期を有する無線リソースコネクションコンフィギュレーション情報を受信するよう構成される受信部９０２と、
ＤＲＸ周期をユーザ装置自体のＤＲＸ周期として設定するよう構成される設定部９０３と、
ユーザ装置がトランキングサービスモードにあるとき、無線リソースコネクションコンフィギュレーション情報に従って基地局装置とのＲＲＣコネクションを保持するよう構成される保持部９０４と、
を有してもよい。
【０１３８】
可能な実現方式として、送信部９０１は、ＥＰＣ装置を利用することによって、ベアラ確立リクエスト又はコンテクスト変更リクエストを基地局装置に送信するよう具体的に構成され、当該リクエストはトランキングサービスベアラのＱＣＩパラメータを含み、トランキングサービスベアラのＱＣＩパラメータは、ユーザ装置がトランキングサービスモードに入ったことを通知するのに利用される。
【０１３９】
他の可能な実現方式として、送信部９０１は、ＥＰＣ装置を利用することによって、ベアラ確立リクエスト又はコンテクスト変更リクエストを基地局装置に送信するよう具体的に構成され、当該リクエストはトランキングサービス識別子を含み、トランキングサービス識別子は、ユーザ装置がトランキングサービスモードに入ったことを通知するのに利用される。
【０１４０】
可能な実現方式として、受信部９０２は、基地局装置により送信され、第１ＤＲＸ周期と第２ＤＲＸ周期とを有する無線リソースコネクションコンフィギュレーション情報を受信するよう具体的に構成され、第１ＤＲＸ周期は第２ＤＲＸ周期より小さい。これに対応して、設定部９０３は、第１ＤＲＸ周期と第２ＤＲＸ周期とをユーザ装置自体のＤＲＸ周期として設定するよう具体的に構成される。
【０１４１】
可能な実現方式として、保持部９０４は更に、ユーザ装置がトランキングサービスモードにあるとき、ｄｒｘＳｈｏｒｔＣｙｃｌｅＴｉｍｅｒを自動的にクローズするか、又は基地局装置の指示に従ってクローズし、第１ＤＲＸ周期を利用するよう構成され、これにより、ユーザ装置の電力消費を低減し、ユーザ装置がトランキングサービスモードから出るとき、ｄｒｘＳｈｏｒｔＣｙｃｌｅＴｉｍｅｒを自動的に起動するか、又は基地局装置の指示に従って起動し、ｄｒｘＳｈｏｒｔＣｙｃｌｅＴｉｍｅｒが満了した後、第２ＤＲＸ周期を利用するよう構成され、これにより、ユーザ装置の通常サービスモードが復帰可能である。
【０１４２】
本発明の本実施例では、受信部９０２は更に、基地局装置により送信されたＲＲＣコネクションリコンフィギュレーションリクエストを受信し、送信部９０１は更に、ユーザ装置と基地局装置との間のＲＲＣコネクションを確立するため、ＲＲＣコネクションリコンフィギュレーションコンプリーションレスポンスを基地局装置に送信するよう構成される。
【０１４３】
図９に示されるユーザ装置は、ユーザ装置がトランキングサービスモードにあるとき、基地局装置とのＲＲＣコネクションを継続的に保持できる。このようにして、新たなサービスが到来すると、サービス送信が直接的に実行可能であり、ユーザ装置は、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１４４】
実施例１０
図１０を参照して、図１０は、本発明の実施例１０によるユーザ装置の構成図である。図１０に示されるように、ユーザ装置は、受信機１００１、プロセッサ１００２及び送信機１００３を有してもよい。本発明のいくつかの実施例では、受信機１００１、プロセッサ１００２及び送信機１００３は、バスを利用することによって、又は他の方法により接続されてもよく、図１０では、バスを利用することによってそれらを接続することが、一例として利用され、ここで、
送信機１００３は、ＥＰＣ装置を利用することによって、ユーザ装置とのＲＲＣコネクションを構成し、ＤＲＸ周期を有する無線リソースコネクションコンフィギュレーション情報を生成し、無線リソースコネクションコンフィギュレーション情報をユーザ装置に送信するよう基地局装置をトリガするため、ユーザ装置がトランキングサービスモードに入ったという通知情報を基地局装置に送信するよう構成され、
受信機１００１は、基地局装置により送信され、ＤＲＸ周期を有する無線リソースコネクションコンフィギュレーション情報を受信するよう構成され、
プロセッサ１００２は、ＤＲＸ周期をユーザ装置自体のＤＲＸ周期として設定するよう構成され、ユーザ装置がトランキングサービスモードにあるとき、無線リソースコネクションコンフィギュレーション情報に従って基地局装置とのＲＲＣコネクションを保持するよう構成される。
【０１４５】
可能な実現方式として、送信機１００３は、ＥＰＣ装置を利用することによって、ベアラ確立リクエスト又はコンテクスト変更リクエストを基地局装置に送信するよう具体的に構成され、当該リクエストはトランキングサービスベアラのＱＣＩパラメータを含み、トランキングサービスベアラのＱＣＩパラメータは、ユーザ装置がトランキングサービスモードに入ったことを通知するのに利用される。
【０１４６】
他の可能な実現方式として、送信機１００３は、ＥＰＣ装置を利用することによって、ベアラ確立リクエスト又はコンテクスト変更リクエストを基地局装置に送信するよう具体的に構成され、当該リクエストはトランキングサービス識別子を含み、トランキングサービス識別子は、ユーザ装置がトランキングサービスモードに入ったことを通知するのに利用される。
【０１４７】
可能な実現方式として、受信機１００１は、基地局装置により送信され、第１ＤＲＸ周期と第２ＤＲＸ周期とを有する無線リソースコネクションコンフィギュレーション情報を受信するよう具体的に構成され、第１ＤＲＸ周期は第２ＤＲＸ周期より小さい。これに対応して、プロセッサ１００２は、第１ＤＲＸ周期と第２ＤＲＸ周期とをユーザ装置自体のＤＲＸ周期として設定するよう具体的に構成され、ユーザ装置がトランキングサービスモードにあるとき、無線リソースコネクションコンフィギュレーション情報に従って基地局装置とのＲＲＣコネクションを保持するよう構成される。
【０１４８】
可能な実現方式として、プロセッサ１００２は更に、ユーザ装置がトランキングサービスモードにあるとき、ｄｒｘＳｈｏｒｔＣｙｃｌｅＴｉｍｅｒを自動的にクローズするか、又は基地局装置の指示に従ってクローズし、第１ＤＲＸ周期を利用するよう構成され、これにより、ユーザ装置の電力消費を低減し、ユーザ装置がトランキングサービスモードから出るとき、ｄｒｘＳｈｏｒｔＣｙｃｌｅＴｉｍｅｒを自動的に起動するか、又は基地局装置の指示に従って起動し、ｄｒｘＳｈｏｒｔＣｙｃｌｅＴｉｍｅｒが満了した後、第２ＤＲＸ周期を利用するよう構成され、これにより、ユーザ装置の通常サービスモードが復帰可能である。
【０１４９】
本発明の本実施例では、受信機１００１は更に、基地局装置により送信されたＲＲＣコネクションリコンフィギュレーションリクエストを受信し、送信機１００３は更に、ユーザ装置と基地局装置との間のＲＲＣコネクションを確立するため、ＲＲＣコネクションリコンフィギュレーションコンプリーションレスポンスを基地局装置に送信するよう構成される。
【０１５０】
図１０に示されるユーザ装置は、ユーザ装置がトランキングサービスモードにあるとき、基地局装置とのＲＲＣコネクションを継続的に保持できる。このようにして、新たなサービスが到来すると、サービス送信が直接的に実行可能であり、ユーザ装置は、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１５１】
実施例１１
図１１を参照して、図１１は、本発明の実施例１１によるトランキングサービスを迅速に確立するためのシステムの構成図である。図１１に示されるように、システムは、基地局装置１１０１、ユーザ装置１１０２及びＥＰＣ（Ｅｖｏｌｖｅｄ  Ｐａｃｋｅｔ  Ｃｏｒｅ  ｎｅｔｗｏｒｋ）装置１１０３を有してもよい。基地局装置１１０１の構成及び機能は、図７又は図８に示される基地局装置のものと同じであってもよく、ユーザ装置１１０２の構成及び機能は、図９又は図１０に示されるユーザ装置のものと同じであってもよく、これらは、本発明の本実施例において繰り返して説明されない。図１１において、破線は無線コネクションを示す。
【０１５２】
ＥＰＣ装置１１０３は、ユーザ装置１１０２がトランキングサービスモードに入ったという通知情報を基地局装置１１０１に送信するよう構成される。
【０１５３】
可能な実現方式として、ＥＰＣ装置１１０３は、ベアラ確立リクエスト又はコンテクストリクエストを基地局装置１１０１に送信するよう具体的に構成され、当該リクエストはトランキングサービスベアラのＱＣＩパラメータを含み、トランキングサービスベアラのＱＣＩパラメータは、ユーザ装置１１０２がトランキングサービスモードに入ったことを通知するのに利用される。
【０１５４】
他の可能な実現方式として、ＥＰＣ装置１１０３は、ベアラ確立リクエスト又はコンテクスト変更リクエストを基地局装置１１０１に送信するよう具体的に構成され、当該リクエストはトランキングサービス識別子を含み、トランキングサービス識別子は、ユーザ装置１１０２がトランキングサービスモードに入ったことを通知するのに利用される。
【０１５５】
図１１に示されるシステムでは、トランキングサービスモードにあるユーザ装置１１０２と基地局装置１１０１との間のＲＲＣコネクションが継続的に保持できる。このようにして、新たなサービスが到来すると、サービス送信が直接的に実行可能であり、ユーザ装置１１０２は、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１５６】
説明の簡単化のため、上記方法の実施例はアクションの組み合わせの系列として表されることに留意すべきである。しかしながら、当業者は、本発明によると、一部のステップは他の順序を採用してもよいし、又は同時に実行されてもよいため、本発明は説明されたアクションの順序に限定されないことを知るべきである。当業者はまた、本明細書に説明された実施例の全てが例示的な実施例に属し、関係するアクション及びモジュールは必ずしも本発明により要求されるとは限らないことを知るべきである。
【０１５７】
上記の実施例では、各実施例の説明は強調を有している。特定の実施例において詳細には説明されていない部分について、他の実施例において関連する説明が参照されてもよい。
【０１５８】
当業者は、実施例における方法のステップの全て又は一部が関連するハードウェアにプログラムが指示することによって実現されてもよいことを理解してもよい。プログラムは、コンピュータ可読記憶媒体に格納されてもよい。当該記憶媒体は、フラッシュメモリ、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク、光ディスクなどを含むものであってもよい。
【０１５９】
本発明の実施例により提供されるトランキングサービスを迅速に確立するための方法、システム及び装置が詳細に上述されている。本明細書では、本発明の原理及び実現方式を説明するため、特定の実施例が利用されている。上記の実施例の説明は、本発明の方法及び主要なアイデアを理解することを助けることを単に意図している。一方、当業者は、本発明のアイデアによる特定の実現方式及び出願範囲に変更してもよい。この結果、本明細書における内容は本発明に対する限定として理解されるものでない。
【図１】
2015530051.tif 000004
【図２】
2015530051.tif 000005
【図３】
2015530051.tif 000006
【図４】
2015530051.tif 000007
【図５】
2015530051.tif 000008
【図６】
2015530051.tif 000009
【図７】
2015530051.tif 000010
【図８】
2015530051.tif 000011
【図９】
2015530051.tif 000012
【図１０】
2015530051.tif 000013
【図１１】
2015530051.tif 000014
【手続補正書】
【提出日】平成27年5月12日(2015.5.12)
【手続補正１】
【補正対象書類名】特許請求の範囲
【補正対象項目名】全文
【補正方法】変更
【補正の内容】
【特許請求の範囲】
【請求項１】
トランキングサービスを迅速に確立するための方法であって、
基地局装置が、ユーザ装置（ＵＥ）がトランキングサービスモードに入ったことを通知する通知情報を受信するステップであって、前記通知情報はＥＰＣ（Ｅｖｏｌｖｅｄ  Ｐａｃｋｅｔ  Ｃｏｒｅ）ネットワーク装置により送信される、受信するステップと、
前記基地局装置が、前記通知情報に従って前記ＵＥとのＲＲＣ（Ｒａｄｉｏ  Ｒｅｓｏｕｒｃｅ  Ｃｏｎｔｒｏｌ）コネクションを構成するステップと、
前記基地局装置が、前記ＲＲＣコネクションを構成する手順において生成された無線リソースコネクションコンフィギュレーション情報を前記ＵＥに送信するステップであって、前記無線リソースコネクションコンフィギュレーション情報は間欠受信周期情報を有する、送信するステップと、
を有する方法。
【請求項２】
前記ＵＥが前記トランキングサービスモードにあるとき、前記基地局装置が、前記無線リソースコネクションコンフィギュレーション情報に従って前記ＵＥとのＲＲＣコネクションを保持するステップをさらに有する、請求項１記載の方法。
【請求項３】
前記基地局装置が、ＵＥがトランキングサービスモードに入ったことを通知する通知情報を受信するステップは、
前記基地局装置が、前記ＥＰＣネットワーク装置により送信されたベアラ確立リクエスト又はコンテクスト変更リクエストを受信するステップを有し、前記ベアラ確立リクエスト又は前記コンテクスト変更リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ＵＥに前記トランキングサービスモードに入るよう指示するのに利用される、請求項１又は２記載の方法。
【請求項４】
前記基地局装置が、ＵＥがトランキングサービスモードに入ったことを通知する通知情報を受信するステップは、
前記基地局装置が、前記ＥＰＣネットワーク装置により送信されたベアラ確立リクエスト又はコンテクスト変更リクエストを受信するステップを有し、前記ベアラ確立リクエスト又は前記コンテクスト変更リクエストはトランキングサービス識別子を含み、前記トランキングサービス識別子は、前記ＵＥに前記トランキングサービスモードに入るよう指示するのに利用される、請求項１又は２記載の方法。
【請求項５】
前記基地局装置が、前記通知情報に従って前記ＵＥとのＲＲＣコネクションを構成するステップは、
前記基地局装置が、前記ＵＥにＲＲＣコネクションリコンフィギュレーションリクエストを送信するステップと、
前記基地局装置が、前記ＵＥにより返されたＲＲＣコネクションリコンフィギュレーションコンプリーションレスポンスを受信するステップと、
を有する、請求項１又は２記載の方法。
【請求項６】
前記無線リソースコネクションコンフィギュレーション情報は、第１間欠受信周期と第２間欠受信周期とを有し、前記第１間欠受信周期は前記第２間欠受信周期より小さい、請求項１乃至５何れか一項記載の方法。
【請求項７】
前記基地局装置が、前記トランキングサービスモードに入る間欠受信コマンドを前記ユーザ装置に送信するステップを更に有し、前記コマンドは、前記ユーザ装置が前記トランキングサービスモードにあるとき、前記第１間欠受信周期を利用することによって短周期間欠受信状態を保持し、前記間欠受信短周期タイマをクローズするよう前記ユーザ装置に指示するのに利用される、請求項６記載の方法。
【請求項８】
トランキングサービスを迅速に確立するための方法であって、
ユーザ装置（ＵＥ）が、前記ＵＥとのＲＲＣ（Ｒａｄｉｏ  Ｒｅｓｏｕｒｃｅ  Ｃｏｎｔｒｏｌ）コネクションを構成したことを基地局装置に通知するようＥＰＣ（Ｅｖｏｌｖｅｄ  Ｐａｃｋｅｔ  Ｃｏｒｅ）ネットワーク装置に指示するため、前記ＵＥがトランキングサービスモードに入ったことを通知する通知情報を前記ＥＰＣネットワーク装置に送信するステップと、
前記ＵＥが、前記基地局装置により送信され、間欠受信周期を有する無線リソースコネクションコンフィギュレーション情報を受信し、前記間欠受信周期を前記ＵＥ自体の間欠受信周期として設定するステップと、
を有する方法。
【請求項９】
前記ＵＥが前記トランキングサービスモードにあるとき、前記無線リソースコネクションコンフィギュレーション情報に従って前記基地局装置との前記ＲＲＣコネクションを保持するステップを更に有する、請求項８記載の方法。
【請求項１０】
前記ＵＥが、前記ＵＥがトランキングサービスモードに入ったことを通知する通知情報を前記ＥＰＣネットワーク装置に送信するステップは、
前記ＵＥが、ベアラ確立リクエスト又はコンテクスト変更リクエストを前記ＥＰＣネットワーク装置に送信するステップを有し、前記ベアラ確立リクエスト又は前記コンテクスト変更リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ＵＥに前記トランキングサービスモードに入るよう指示するのに利用される、請求項８又は９記載の方法。
【請求項１１】
前記ＵＥが、前記ＵＥがトランキングサービスモードに入ったことを通知する通知情報を前記ＥＰＣネットワーク装置に送信するステップは、
前記ＵＥが、ベアラ確立リクエスト又はコンテクスト変更リクエストを前記ＥＰＣネットワーク装置に送信するステップを有し、前記ベアラ確立リクエスト又は前記コンテクスト変更リクエストはトランキングサービス識別子を含み、前記トランキングサービス識別子は、前記ＵＥに前記トランキングサービスモードに入るよう指示するのに利用される、請求項８又は９記載の方法。
【請求項１２】
前記無線リソースコネクションコンフィギュレーション情報は、第１間欠受信周期と第２間欠受信周期とを有し、前記第１間欠受信周期は前記第２間欠受信周期より小さく、
前記間欠受信周期を前記ＵＥ自体の間欠受信周期として設定するステップは、前記ＵＥが、前記第１間欠受信周期又は前記第２間欠受信周期を前記ＵＥ自体の間欠受信周期として設定するステップを有する、請求項８乃至１１何れか一項記載の方法。
【請求項１３】
前記ユーザ装置が前記トランキングサービスモードにあるとき、前記ユーザ装置が、間欠受信短周期タイマを自動的にクローズするか、又は前記基地局装置の指示に従ってクローズし、前記第１間欠受信周期を利用するステップと、
前記ユーザ装置が前記トランキングサービスモードから出るとき、前記間欠受信短周期タイマを自動的に起動するか、又は前記基地局装置の指示に従って起動し、前記間欠受信短周期タイマが満了した後に前記第２間欠受信周期を利用するステップと、
を更に有する、請求項１２記載の方法。
【請求項１４】
ユーザ装置（ＵＥ）がトランキングサービスモードに入ったことを通知する通知情報を受信するよう構成される受信部であって、前記通知情報はＥＰＣ（Ｅｖｏｌｖｅｄ  Ｐａｃｋｅｔ  Ｃｏｒｅ）ネットワーク装置により送信される、受信部と、
前記受信部により受信された前記通知情報に従って前記ＵＥとのＲＲＣ（Ｒａｄｉｏ  Ｒｅｓｏｕｒｃｅ  Ｃｏｎｔｒｏｌ）コネクションを構成するよう構成される構成部と、
前記ＲＲＣコネクションを構成する手順において生成された無線リソースコネクションコンフィギュレーション情報を前記ＵＥに送信するよう構成される送信部であって、前記無線リソースコネクションコンフィギュレーション情報は間欠受信周期情報を有する、送信部と、
を有する基地局装置。
【請求項１５】
前記ＵＥが前記トランキングサービスモードにあるとき、前記生成部により生成される前記無線リソースコネクションコンフィギュレーション情報に従って前記ＵＥとのＲＲＣコネクションを保持するよう構成される保持部を更に有する、請求項１４記載の基地局装置。
【請求項１６】
前記受信部は、前記ＥＰＣネットワーク装置により送信されるベアラ確立リクエスト又はコンテクスト変更リクエストを受信するよう構成され、前記ベアラ確立リクエスト又は前記コンテクスト変更リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ＵＥに前記トランキングサービスモードに入るよう指示するのに利用される、請求項１４又は１５記載の基地局装置。
【請求項１７】
前記受信部は、前記ＥＰＣネットワーク装置により送信されるベアラ確立リクエスト又はコンテクスト変更リクエストを受信するよう構成され、前記ベアラ確立リクエスト又は前記コンテクスト変更リクエストはトランキングサービス識別子を含み、前記トランキングサービス識別子は、前記ＵＥに前記トランキングサービスモードに入るよう指示するのに利用される、請求項１４又は１５記載の基地局装置。
【請求項１８】
前記構成部は、ＲＲＣコネクションリコンフィギュレーションリクエストを前記ＵＥに送信し、前記ＵＥにより返されたＲＲＣコネクションリコンフィギュレーションコンプリーションレスポンスを受信するよう構成される、請求項１４又は１６記載の基地局装置。
【請求項１９】
前記生成部は、第１間欠受信周期と第２間欠受信周期とを有する前記無線リソースコネクションコンフィギュレーション情報を生成するよう構成され、前記第１間欠受信周期は前記第２間欠受信周期より小さい、請求項１４乃至１８何れか一項記載の基地局装置。
【請求項２０】
前記送信部は更に、前記トランキングサービスモードに入る間欠受信コマンドを前記ユーザ装置に送信するよう構成され、前記コマンドは、前記ユーザ装置が前記トランキングサービスモードにあるとき、前記第１間欠受信周期を利用することによって、短周期間欠受信状態を保持し、前記間欠受信短周期タイマをクローズするよう前記ユーザ装置に指示するのに利用される、請求項１８記載の基地局装置。
【請求項２１】
ユーザ装置（ＵＥ）とのＲＲＣ（Ｒａｄｉｏ  Ｒｅｓｏｕｒｃｅ  Ｃｏｎｔｒｏｌ）コネクションを構成したことを基地局装置に通知するようＥＰＣ（Ｅｖｏｌｖｅｄ  Ｐａｃｋｅｔ  Ｃｏｒｅ）ネットワーク装置に指示するため、前記ＵＥがトランキングサービスモードに入ったことを通知する通知情報を前記ＥＰＣネットワーク装置に送信するよう構成される送信部と、
前記送信部が、前記ＵＥが前記トランキングサービスモードに入ったことを通知する通知情報を前記ＥＰＣネットワーク装置に送信した後、前記基地局装置により送信され、間欠受信周期を有する無線リソースコネクションコンフィギュレーション情報を受信するよう構成される受信部と、
前記受信部により受信された前記間欠受信周期を前記ＵＥ自体の間欠受信周期として設定するよう構成される設定部と、
を有するユーザ装置。
【請求項２２】
前記ＵＥが前記トランキングサービスモードにあるとき、前記受信部により受信された前記無線リソースコネクションコンフィギュレーション情報に従って前記基地局装置とのＲＲＣコネクションを保持するよう構成される保持部を更に有する、請求項２１記載のユーザ装置。
【請求項２３】
前記送信部は、前記ＥＰＣネットワーク装置を利用することによって、ベアラ確立リクエスト又はコンテクスト変更リクエストを前記ＥＰＣネットワーク装置に送信するよう構成され、前記ベアラ確立リクエスト又は前記コンテクスト変更リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ＵＥに前記トランキングサービスモードに入るよう指示するのに利用される、請求項２１又は２２記載のユーザ装置。
【請求項２４】
前記送信部は、前記ＥＰＣネットワーク装置を利用することによって、ベアラ確立リクエスト又はコンテクスト変更リクエストを前記ＥＰＣネットワーク装置に送信するよう構成され、前記ベアラ確立リクエスト又は前記コンテクスト変更リクエストはトランキングサービス識別子を含み、前記トランキングサービス識別子は、前記ＵＥに前記トランキングサービスモードに入るよう指示するのに利用される、請求項２１又は２２記載のユーザ装置。
【請求項２５】
前記無線リソースコネクションコンフィギュレーション情報は、第１間欠受信周期と第２間欠受信周期とを有し、前記第１間欠受信周期は前記第２間欠受信周期より小さく、
前記設定部は、前記受信部により受信された前記第１間欠受信周期又は前記第２間欠受信周期を前記ＵＥ自体の間欠受信周期として設定するよう構成される、請求項２１乃至２４何れか一項記載のユーザ装置。
【請求項２６】
前記保持部は更に、前記ユーザ装置が前記トランキングサービスモードにあるとき、間欠受信短周期タイマを自動的にクローズするか、又は前記基地局装置の指示に従ってクローズし、前記受信部により受信された前記第１間欠受信周期を利用するよう構成され、前記ユーザ装置が前記トランキングサービスモードから出るとき、前記間欠受信短周期タイマを自動的に起動するか、又は前記基地局装置の指示に従って起動し、前記間欠受信短周期タイマが満了した後、前記受信部により受信された前記第２間欠受信周期を利用するよう構成される、請求項２５記載のユーザ装置。
【請求項２７】
トランキングサービスを迅速に確立するためのシステムであって、請求項１４乃至２０何れか一項記載の基地局装置、及びＥＰＣ（Ｅｖｏｌｖｅｄ  Ｐａｃｋｅｔ  Ｃｏｒｅ）ネットワーク装置を有し、
前記ＥＰＣネットワーク装置は、前記ＵＥがトランキングサービスモードに入ったという通知情報を前記基地局装置に送信するよう構成されるシステム。
【請求項２８】
前記ＥＰＣネットワーク装置は、ベアラ確立リクエスト又はコンテクストリクエストを前記基地局装置に送信するよう構成され、前記ベアラ確立リクエスト又は前記コンテクスト変更リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ＵＥに前記トランキングサービスモードに入るよう指示するのに利用される、請求項２７記載のシステム。
【請求項２９】
前記ＥＰＣネットワーク装置は、ベアラ確立リクエスト又はコンテクスト変更リクエストを前記基地局装置に送信するよう構成され、前記ベアラ確立リクエスト又は前記コンテクスト変更リクエストはトランキングサービス識別子を含み、前記トランキングサービス識別子は、前記ＵＥに前記トランキングサービスモードに入るよう指示するのに利用される、請求項２７記載のシステム。
【請求項３０】
請求項１乃至７何れか一項記載の方法のステップをコンピュータに実行させるためのコンピュータプログラム。
【請求項３１】
請求項８乃至１３何れか一項記載の方法のステップをコンピュータに実行させるためのコンピュータプログラム。
【手続補正２】
【補正対象書類名】明細書
【補正対象項目名】全文
【補正方法】変更
【補正の内容】
【発明の詳細な説明】
【技術分野】
【０００１】
［関連出願の相互参照］
本出願は、参照することによりその全体がここに援用される、２０１２年９月１７日に中国特許庁に出願された“ＭＥＴＨＯＤ  ＦＯＲ  ＱＵＩＣＫＬＹ  ＥＳＴＡＢＬＩＳＨＩＮＧ  ＴＲＵＮＫＩＮＧ  ＳＥＲＶＩＣＥ  ＡＮＤ  ＲＥＬＡＴＥＤ  ＤＥＶＩＣＥ  ＡＮＤ  ＳＹＳＴＥＭ”という名称の中国特許出願第２０１２１０３４４０９６．４に対する優先権を主張する。
【０００２】
本発明は、トランキングサービスの分野に関し、特にトランキングサービスを迅速に確立するための方法、関連する装置及びシステムに関する。
【背景技術】
【０００３】
ロング・ターム・エボリューション（Ｌｏｎｇ  Ｔｅｒｍ  Ｅｖｏｌｕｔｉｏｎ，ＬＴＥ）ネットワークの開発によって、トランキングサービスがＬＴＥネットワーク上で実現された。ＬＴＥネットワーク上では、ユーザ装置（Ｕｓｅｒ  Ｅｑｕｉｐｍｅｎｔ，ＵＥ）がＬＴＥネットワークにアタッチした後、サービスリクエストが長時間ない場合、ＵＥはアイドル（ＲＲＣ＿ＩＤＬＥ）状態に入り、サービスリクエストが到来した後に、ＵＥは、無線リソース制御（Ｒａｄｉｏ  Ｒｅｓｏｕｒｃｅ  Ｃｏｎｔｒｏｌ，ＲＲＣ）接続を開始し、これにより、ＵＥは接続（ＲＲＣ＿ＣＯＮＮＥＣＴＥＤ）状態に入る。ＲＲＣ＿ＣＯＮＮＥＣＴＥＤ状態では、ＵＥは、間欠受信（Ｄｉｓｃｏｎｔｉｎｕｅ  ｒｅｃｅｐｔｉｏｎ，ＤＲＸ）機構を利用することによって、いくつかの瞬間には無線チャネルをリッスンし、いくつかの瞬間にはスリープ状態に入ることを選択してもよく、これにより、ＵＥの電力消費を低減することができる。サービスが長時間到着しないとき、ネットワークは、ＵＥとのＲＲＣ接続を解放し、これにより、ＵＥはＲＲＣ＿ＩＤＬＥ状態に戻り、ＲＲＣ＿ＩＤＬＥ状態では、ＵＥは、ＤＲＸサイクルに従ってコーリングチャネルとブロードキャストチャネルとをリッスンしてもよく、ここで、ＤＲＸサイクルはまたＵＥのページングサイクルと呼ばれ、ＤＲＸサイクルの値は一般に数秒レベルとなる。
【０００４】
トランキングサービスを迅速に開始する必要があるＵＥについて、ＲＲＣ＿ＩＤＬＥ状態からＲＲＣ＿ＣＯＮＮＥＣＴＥＤ状態への遷移時間は、トランキングサービスを迅速に確立するための遅延要求を充たすことができない。
【発明の概要】
【発明が解決しようとする課題】
【０００５】
本発明の実施例は、トランキングサービスを迅速に確立できる、トランキングサービスを迅速に確立するための方法、関連する装置及びシステムを提供する。
【課題を解決するための手段】
【０００６】
本発明の実施例の第１の態様は、トランキングサービスを迅速に確立するための方法であって、
基地局装置が、ユーザ装置がトランキングサービスモードに入ったという通知情報を受信するステップであって、前記通知情報はＥＰＣ（Ｅｖｏｌｖｅｄ  Ｐａｃｋｅｔ  Ｃｏｒｅ  ｎｅｔｗｏｒｋ）装置により送信される、受信するステップと、
前記基地局装置が、前記通知情報に応答し、前記ユーザ装置とのＲＲＣ（Ｒａｄｉｏ  Ｒｅｓｏｕｒｃｅ  Ｃｏｎｔｒｏｌ）コネクションを構成するステップと、
前記基地局装置が、前記通知情報に応答し、間欠受信周期を有する無線リソースコネクションコンフィギュレーション情報を生成するステップと、
前記基地局装置が、前記無線リソースコネクションコンフィギュレーション情報を前記ユーザ装置に送信するステップであって、前記ユーザ装置は前記間欠受信周期を前記ユーザ装置自体の間欠受信周期として設定する、送信するステップと、
前記ユーザ装置が前記トランキングサービスモードにあるとき、前記基地局装置は、前記無線リソースコネクションコンフィギュレーション情報に従って前記ユーザ装置とのＲＲＣコネクションを保持するステップと、
を有する方法を提供する。
【０００７】
第１の態様の第１の可能な実現方式では、前記基地局装置が、ユーザ装置がトランキングサービスモードに入ったという通知情報を受信するステップであって、前記通知情報はＥＰＣ装置により送信される、受信するステップは、
前記基地局装置が、前記ＥＰＣ装置により送信されたベアラ確立リクエスト又はコンテクスト変更リクエストを受信するステップを有し、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置に前記トランキングサービスモードに入るよう指示するのに利用される。
【０００８】
第１の態様の第２の可能な実現方式では、前記基地局装置が、ユーザ装置がトランキングサービスモードに入ったという通知情報を受信するステップであって、前記通知情報はＥＰＣ装置により送信される、受信するステップは、
前記基地局装置が、前記ＥＰＣ装置により送信されたベアラ確立リクエスト又はコンテクスト変更リクエストを受信するステップを有し、前記リクエストはトランキングサービス識別子を含み、前記トランキングサービス識別子は、前記ユーザ装置に前記トランキングサービスモードに入るよう指示するのに利用される。
【０００９】
第１の態様の第３の可能な実現方式では、前記基地局装置が、前記通知情報に応答し、前記ユーザ装置とのＲＲＣコネクションを構成するステップは、
前記基地局装置が、前記通知情報に応答し、前記ユーザ装置にＲＲＣコネクションリコンフィギュレーションリクエストを送信するステップと、
前記基地局装置が、前記ユーザ装置により返されたＲＲＣコネクションリコンフィギュレーションコンプリーションレスポンスを受信するステップと、
を有する。
【００１０】
第１の態様又は第１の態様の第１、第２又は第３の可能な実現方式を参照して、第４の可能な実現方式では、前記基地局装置が、前記通知情報に応答し、間欠受信周期を有する無線リソースコネクションコンフィギュレーション情報を生成するステップは、
前記基地局装置が、前記通知情報に応答し、第１間欠受信周期と第２間欠受信周期とを有する無線リソースコネクションコネクションコンフィギュレーション情報を生成するステップを有し、前記第１間欠受信周期は前記第２間欠受信周期より小さい。
【００１１】
第１の態様の第４の可能な実現方式を参照して、第５の可能な実現方式では、当該方法は、
前記基地局装置が、前記トランキングサービスモードに入る間欠受信コマンドを前記ユーザ装置に送信するステップを更に有し、前記コマンドは、前記ユーザ装置が前記トランキングサービスモードにあるとき、前記第１間欠受信周期を利用することによって短周期間欠受信状態を保持し、間欠受信短周期タイマをクローズするよう前記ユーザ装置に指示するのに利用される。
【００１２】
本発明の実施例の第２の態様は、トランキングサービスを迅速に確立するための方法であって、
ユーザ装置が、ＥＰＣ（Ｅｖｏｌｖｅｄ  Ｐａｃｋｅｔ  Ｃｏｒｅ  ｎｅｔｗｏｒｋ）装置を利用することによって、前記ユーザ装置とのＲＲＣ（Ｒａｄｉｏ  Ｒｅｓｏｕｒｃｅ  Ｃｏｎｔｒｏｌ）コネクションを構成し、間欠受信周期を有する無線リソースコネクションコンフィギュレーション情報を生成し、前記無線リソースコネクションコンフィギュレーション情報を前記ユーザ装置に送信するよう基地局装置をトリガするため、前記ユーザ装置がトランキングサービスモードに入ったという通知情報を前記基地局装置に送信するステップと、
前記ユーザ装置が、前記基地局装置により送信され、前記間欠受信周期を有する前記無線リソースコネクションコンフィギュレーション情報を受信し、前記間欠受信周期を前記ユーザ装置自体の間欠受信周期として設定するステップと、
前記ユーザ装置が前記トランキングサービスモードにあるとき、前記無線リソースコネクションコンフィギュレーション情報に従って前記基地局装置との前記ＲＲＣコネクションを保持するステップと、
を有する方法を提供する。
【００１３】
第２の態様の第１の可能な実現方式では、前記ユーザ装置が、ＥＰＣ装置を利用することによって、前記ユーザ装置がトランキングサービスモードに入ったという通知情報を前記基地局装置に送信するステップは、
前記ユーザ装置が、前記ＥＰＣ装置を利用することによって、ベアラ確立リクエスト又はコンテクスト変更リクエストを前記基地局装置に送信するステップを有し、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置に前記トランキングサービスモードに入るよう指示するのに利用される。
【００１４】
第２の態様の第２の可能な実現方式では、前記ユーザ装置が、ＥＰＣ装置を利用することによって、前記ユーザ装置がトランキングサービスモードに入ったという通知情報を前記基地局装置に送信するステップは、
前記ユーザ装置が、前記ＥＰＣ装置を利用することによって、ベアラ確立リクエスト又はコンテクスト変更リクエストを前記基地局装置に送信するステップを有し、前記リクエストはトランキングサービス識別子を含み、前記トランキングサービス識別子は、前記ユーザ装置に前記トランキングサービスモードに入るよう指示するのに利用される。
【００１５】
第２の態様又は第２の態様の第１又は第２の可能な実現方式を参照して、第３の可能な実現方式では、前記ユーザ装置が、前記基地局装置により送信され、前記間欠受信周期を有する前記無線リソースコネクションコンフィギュレーション情報を受信し、前記間欠受信周期を前記ユーザ装置自体の間欠受信周期として設定するステップは、
前記ユーザ装置が、前記基地局装置により送信され、第１間欠受信周期と第２間欠受信周期とを有する前記無線リソースコネクションコンフィギュレーション情報を受信するステップであって、前記第１間欠受信周期は前記第２間欠受信周期より小さい、受信するステップと、
前記ユーザ装置が、前記第１間欠受信周期又は前記第２間欠受信周期を前記ユーザ装置自体の間欠受信周期として設定するステップと、
を有する。
【００１６】
第２の態様の第３の可能な実現方式を参照して、第４の可能な実現方式では、前記ユーザ装置が前記トランキングサービスモードにあるとき、前記ユーザ装置が、間欠受信短周期タイマを自動的にクローズするか、又は前記基地局装置の指示に従ってクローズし、前記第１間欠受信周期を利用するステップと、
前記ユーザ装置が前記トランキングサービスモードから出るとき、前記ユーザ装置が、前記間欠受信短周期タイマを自動的に起動するか、又は前記基地局装置の指示に従って起動し、前記間欠受信短周期タイマが満了した後に前記第２間欠受信周期を利用するステップと、
を更に有する。
【００１７】
本発明の実施例の第３の態様は、
ユーザ装置がトランキングサービスモードに入ったという通知情報を受信するよう構成される受信部であって、前記通知情報はＥＰＣ（Ｅｖｏｌｖｅｄ  Ｐａｃｋｅｔ  Ｃｏｒｅ  ｎｅｔｗｏｒｋ）装置により送信される、受信部と、
前記受信部により受信された前記通知情報に応答し、前記ユーザ装置とのＲＲＣ（Ｒａｄｉｏ  Ｒｅｓｏｕｒｃｅ  Ｃｏｎｔｒｏｌ）コネクションを構成するよう構成される構成部と、
前記受信部により受信された前記通知情報に応答し、間欠受信周期を有する無線リソースコネクションコンフィギュレーション情報を生成するよう構成される生成部と、
前記生成部により生成された前記無線リソースコネクションコンフィギュレーション情報を前記ユーザ装置に送信するよう構成される送信部であって、前記ユーザ装置は前記間欠受信周期を前記ユーザ装置自体の間欠受信周期として設定する、送信部と、
前記ユーザ装置が前記トランキングサービスモードにあるとき、前記生成部により生成される前記無線リソースコネクションコンフィギュレーション情報に従って前記ユーザ装置とのＲＲＣコネクションを保持するよう構成される保持部と、
を有する基地局装置を提供する。
【００１８】
第３の態様の第１の可能な実現方式では、前記受信部は、前記ＥＰＣ装置により送信されるベアラ確立リクエスト又はコンテクスト変更リクエストを受信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置に前記トランキングサービスモードに入るよう指示するのに利用される。
【００１９】
第３の態様の第２の可能な実現方式では、前記受信部は、前記ＥＰＣ装置により送信されるベアラ確立リクエスト又はコンテクスト変更リクエストを受信するよう具体的に構成され、前記リクエストはトランキングサービス識別子を含み、前記トランキングサービス識別子は、前記ユーザ装置に前記トランキングサービスモードに入るよう指示するのに利用される。
【００２０】
第３の態様の第３の可能な実現方式では、前記構成部は、前記受信部により受信された前記通知情報に応答し、ＲＲＣコネクションリコンフィギュレーションリクエストを前記ユーザ装置に送信し、前記ユーザ装置により返されたＲＲＣコネクションリコンフィギュレーションコンプリーションレスポンスを受信するよう具体的に構成される。
【００２１】
第３の態様又は第３の態様の第１、第２又は第３の可能な実現方式を参照して、第４の可能な実現方式では、前記生成部は、前記受信部により受信された前記通知情報に応答し、第１間欠受信周期と第２間欠受信周期とを有する前記無線リソースコネクションコンフィギュレーション情報を生成するよう具体的に構成され、前記第１間欠受信周期は前記第２間欠受信周期より小さい。
【００２２】
第３の態様の第４の可能な実現方式を参照して、第５の可能な実現方式では、前記送信部は更に、前記トランキングサービスモードに入る間欠受信コマンドを前記ユーザ装置に送信するよう構成され、前記コマンドは、前記ユーザ装置が前記トランキングサービスモードにあるとき、前記第１間欠受信周期を利用することによって、短周期間欠受信状態を保持し、間欠受信短周期タイマをクローズするよう前記ユーザ装置に指示するのに利用される。
【００２３】
本発明の実施例の第４の態様は、
ＥＰＣ（Ｅｖｏｌｖｅｄ  Ｐａｃｋｅｔ  Ｃｏｒｅ  ｎｅｔｗｏｒｋ）装置を利用することによって、ユーザ装置とのＲＲＣ（Ｒａｄｉｏ  Ｒｅｓｏｕｒｃｅ  Ｃｏｎｔｒｏｌ）コネクションを構成し、間欠受信周期を有する無線リソースコネクションコンフィギュレーション情報を生成し、前記無線リソースコネクションコンフィギュレーション情報を前記ユーザ装置に送信するよう基地局装置をトリガするため、前記ユーザ装置がトランキングサービスモードに入ったという通知情報を前記基地局装置に送信するよう構成される送信部と、
前記送信部が、前記ＥＰＣ装置を利用することによって、前記ユーザ装置が前記トランキングサービスモードに入ったという通知情報を前記基地局装置に送信した後、前記基地局装置により送信され、前記間欠受信周期を有する前記無線リソースコネクションコンフィギュレーション情報を受信するよう構成される受信部と、
前記受信部により受信された前記間欠受信周期を前記ユーザ装置自体の間欠受信周期として設定するよう構成される設定部と、
前記ユーザ装置が前記トランキングサービスモードにあるとき、前記受信部により受信された前記無線リソースコネクションコンフィギュレーション情報に従って前記基地局装置とのＲＲＣコネクションを保持するよう構成される保持部と、
を有するユーザ装置を提供する。
【００２４】
第４の態様の第１の可能な実現方式では、前記送信部は、前記ＥＰＣ装置を利用することによって、ベアラ確立リクエスト又はコンテクスト変更リクエストを前記基地局装置に送信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置に前記トランキングサービスモードに入るよう指示するのに利用される。
【００２５】
第４の態様の第２の可能な実現方式では、前記送信部は、前記ＥＰＣ装置を利用することによって、ベアラ確立リクエスト又はコンテクスト変更リクエストを前記基地局装置に送信するよう具体的に構成され、前記リクエストはトランキングサービス識別子を含み、前記トランキングサービス識別子は、前記ユーザ装置に前記トランキングサービスモードに入るよう指示するのに利用される。
【００２６】
第４の態様又は第４の態様の第１又は第２の可能な実現方式を参照して、第３の可能な実現方式では、前記受信部は、前記基地局装置により送信され、第１間欠受信周期と第２間欠受信周期とを有する前記無線リソースコネクションコンフィギュレーション情報を受信するよう具体的に構成され、前記第１間欠受信周期は前記第２間欠受信周期より小さく、前記設定部は、前記受信部により受信された前記第１間欠受信周期又は前記第２間欠受信周期を前記ユーザ装置自体の間欠受信周期として設定するよう具体的に構成される。
【００２７】
第４の態様の第３の可能な実現方式を参照して、第４の可能な実現方式では、前記保持部は更に、前記ユーザ装置が前記トランキングサービスモードにあるとき、間欠受信短周期タイマを自動的にクローズするか、又は前記基地局装置の指示に従ってクローズし、前記受信部により受信された前記第１間欠受信周期を利用するよう構成され、前記ユーザ装置が前記トランキングサービスモードから出るとき、前記間欠受信短周期タイマを自動的に起動するか、又は前記基地局装置の指示に従って起動し、前記間欠受信短周期タイマが満了した後、前記受信部により受信された前記第２間欠受信周期を利用するよう構成される。
【００２８】
本発明の実施例の第５の態様は、トランキングサービスを迅速に確立するためのシステムであって、第３の態様において提供された基地局装置、第４の態様において提供されたユーザ装置及びＥＰＣ（Ｅｖｏｌｖｅｄ  Ｐａｃｋｅｔ  Ｃｏｒｅ  ｎｅｔｗｏｒｋ）装置を有し、
前記ＥＰＣ装置は、前記ユーザ装置がトランキングサービスモードに入ったという通知情報を前記基地局装置に送信するよう構成されるシステムを提供する。
【００２９】
第５の態様の第１の可能な実現方式では、前記ＥＰＣ装置は、ベアラ確立リクエスト又はコンテクスト変更リクエストを前記基地局装置に送信するよう具体的に構成され、前記リクエストはトランキングサービスベアラのＱｏＳ（Ｑｕａｌｉｔｙ  ｏｆ  Ｓｅｒｖｉｃｅ）クラス識別子パラメータを含み、前記トランキングサービスベアラのＱｏＳクラス識別子パラメータは、前記ユーザ装置に前記トランキングサービスモードに入るよう指示するのに利用される。
【００３０】
第５の態様の第２の可能な実現方式では、前記ＥＰＣ装置は、ベアラ確立リクエスト又はコンテクスト変更リクエストを前記基地局装置に送信するよう具体的に構成され、前記リクエストはトランキングサービス識別子を含み、前記トランキングサービス識別子は、前記ユーザ装置に前記トランキングサービスモードに入るよう指示するのに利用される。
【発明の効果】
【００３１】
本発明の実施例では、基地局装置は、トランキングサービスモードにあるＵＥとのＲＲＣコネクションを継続的に保持することができる。このようにして、新たなサービスが到来するとき、サービス送信は直接的に実行可能であり、ＵＥは、ＲＲＣ＿ＩＤＬＥ状態からＲＲＣ＿ＣＯＮＮＥＣＴＥＤ状態に遷移する必要なくサービス送信を実行可能であり、これにより、トランキングサービスを確立するための遅延が有意に低減可能であり、トランキングサービスの迅速な確立が確保される。
【図面の簡単な説明】
【００３２】
本発明の実施例における技術的手段をより明確に説明するため、以下において、実施例を説明するのに必要とされる添付図面が簡単に紹介される。明らかに、以下の説明における添付図面は本発明の一部の実施例を単に示し、当業者は、創造的な努力なくこれら添付図面から他の図面を依然として導出してもよい。
【図１】図１は、本発明の実施例１によるトランキングサービスを迅速に確立するための方法のフローチャートである。
【図２】図２は、本発明の実施例２によるトランキングサービスを迅速に確立するための方法のフローチャートである。
【図３】図３は、本発明の実施例３によるトランキングサービスを迅速に確立するための方法のフローチャートである。
【図４】図４は、本発明の実施例４によるトランキングサービスを迅速に確立するための方法のフローチャートである。
【図５】図５は、本発明の実施例５によるトランキングサービスを迅速に確立するための方法のフローチャートである。
【図６】図６は、本発明の実施例６によるトランキングサービスを迅速に確立するための方法のフローチャートである。
【図７】図７は、本発明の実施例７による基地局装置の構成図である。
【図８】図８は、本発明の実施例８による基地局装置の構成図である。
【図９】図９は、本発明の実施例９によるユーザ装置の構成図である。
【図１０】図１０は、本発明の実施例１０によるユーザ装置の構成図である。
【図１１】図１１は、本発明の実施例１１によるトランキングサービスを迅速に確立するためのシステムの構成図である。
【発明を実施するための形態】
【００３３】
以下において、本発明の実施例における添付図面を参照して、本発明の実施例における技術的手段が明確かつ完全に説明される。明らかに、説明される実施例は本発明の実施例の全てでなく単なる一部である。創造的な努力なく本発明の実施例に基づき当業者により取得される他の全ての実施例は、本発明の保護範囲内に属する。
【００３４】
本明細書において説明される技術は、例えば、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）、符号分割多重接続（ＣＤＭＡ，Ｃｏｄｅ  Ｄｉｖｉｓｉｏｎ  Ｍｕｌｔｉｐｌｅ  Ａｃｃｅｓｓ）システム、時分割多重接続（ＴＤＭＡ，Ｔｉｍｅ  Ｄｉｖｉｓｉｏｎ  Ｍｕｌｔｉｐｌｅ  Ａｃｃｅｓｓ）システム、ワイドバンド符号分割多重接続（ＷＣＤＭＡ（登録商標），Ｗｉｄｅｂａｎｄ  Ｃｏｄｅ  Ｄｉｖｉｓｉｏｎ  Ｍｕｌｔｉｐｌｅ  Ａｃｃｅｓｓ  Ｗｉｒｅｌｅｓｓ）システム、周波数分割多重接続（ＦＤＭＡ，Ｆｒｅｑｕｅｎｃｙ  Ｄｉｖｉｓｉｏｎ  Ｍｕｌｔｉｐｌｅ  Ａｄｄｒｅｓｓｉｎｇ）システム、直交周波数分割多重接続（ＯＦＤＭＡ，Ｏｒｔｈｏｇｏｎａｌ  Ｆｒｅｑｕｅｎｃｙ−Ｄｉｖｉｓｉｏｎ  Ｍｕｌｔｉｐｌｅ  Ａｃｃｅｓｓ）システム、シングルキャリアＦＤＭＡ（ＳＣ−ＦＤＭＡ）システム、ＧＰＲＳ（Ｇｅｎｅｒａｌ  Ｐａｃｋｅｔ  Ｒａｄｉｏ  Ｓｅｒｖｉｃｅ）システム、ＬＴＥネットワークシステム及び他の通信システムなどの現在の２Ｇ及び３Ｇ通信システムと次世代の通信システムなどの各種通信システムに適用されてもよい。
【００３５】
本明細書では、ＵＥ、基地局装置、ＥＰＣ（Ｅｖｏｌｖｅｄ  Ｐａｃｋｅｔ  Ｃｏｒｅ  ｎｅｔｗｏｒｋ）装置及び／又はＰｏＣサーバを特に参照して、各種態様が説明される。
【００３６】
ＵＥは、無線端末であってもよい。無線端末は、ユーザに音声及び／又はデータ接続を提供する装置、無線接続機能を備えた携帯装置、又は無線モデムに接続される他の処理装置を表すものであってもよい。無線端末は、無線アクセスネットワーク（ＲＡＮ（Ｒａｄｉｏ  Ａｃｃｅｓｓ  Ｎｅｔｗｏｒｋ）など）を介し１以上のコアネットワークと通信してもよい。無線端末は、携帯電話（“セルラ”フォンとも呼ばれる）などのモバイル端末であってもよく、モバイル端末を備えたコンピュータは、例えば、無線アクセスネットワークと言語及び／又はデータを交換するポータブル、ポケットサイズ、携帯、コンピュータビルトイン又は車両搭載モバイル装置であってもよい。例えば、それは、ＰＣＳ（Ｐｅｒｓｏｎａｌ  Ｃｏｍｍｕｎｉｃａｔｉｏｎ  Ｓｅｒｖｉｃｅ）フォン、コードレス電話セット、ＳＩＰ（Ｓｅｓｓｉｏｎ  Ｉｎｉｔｉａｔｉｏｎ  Ｐｒｏｔｏｃｏｌ）フォン、無線ローカルループ（ＷＬＬ，Ｗｉｒｅｌｅｓｓ  Ｌｏｃａｌ  Ｌｏｏｐ）ステーション又はＰＤＡ（Ｐｅｒｓｏｎａｌ  Ｄｉｇｉｔａｌ  Ａｓｓｉｓｔａｎｔ）などの装置であってもよい。無線端末はまた、システム、加入者ユニット（Ｓｕｂｓｃｒｉｂｅｒ  Ｕｎｉｔ）、加入者ステーション（Ｓｕｂｓｃｒｉｂｅｒ  Ｓｔａｔｉｏｎ）、移動局（Ｍｏｂｉｌｅ  Ｓｔａｔｉｏｎ）、モバイル端末（Ｍｏｂｉｌｅ）、リモートステーション（Ｒｅｍｏｔｅ  Ｓｔａｔｉｏｎ）、アクセスポイント（Ａｃｃｅｓｓ  Ｐｏｉｎｔ）、リモート端末（Ｒｅｍｏｔｅ  Ｔｅｒｍｉｎａｌ）、アクセス端末（Ａｃｃｅｓｓ  Ｔｅｒｍｉｎａｌ）、ユーザ端末（Ｕｓｅｒ  Ｔｅｒｍｉｎａｌ）、ユーザエージェント（Ｕｓｅｒ  Ａｇｅｎｔ）、ユーザデバイス又はＵＥと呼ばれてもよい。
【００３７】
基地局装置（アクセスポイントなど）は、アクセスネットワーク上で無線インタフェースを介し１以上のセクタを利用することによって、無線端末と通信する装置を表すものであってもよい。基地局装置は、受信した無線フレーム及びＩＰパケットを相互変換し、無線端末とアクセスネットワークの残りの部分との間のルータとして機能するよう構成されてもよく、ここで、アクセスネットワークの残りの部分はインターネットプロトコル（ＩＰ）ネットワークを含むものであってもよい。基地局装置はまた、無線インタフェースの属性管理を調整してもよい。例えば、基地局装置は、ＧＳＭ（登録商標）又はＣＤＭＡにおける送受信基地局（ＢＴＳ，Ｂａｓｅ  Ｔｒａｎｓｃｅｉｖｅｒ  Ｓｔａｔｉｏｎ）であってもよく、またＷＣＤＭＡ（登録商標）におけるＮｏｄｅＢであってもよく、さらにＬＴＥにおけるｅｖｏｌｖｅｄ  ＮｏｄｅＢ（ＮｏｄｅＢ，ｅＮＢ又はｅ−ＮｏｄｅＢ，ｅｖｏｌｖｅｄ  ＮｏｄｅＢ）であってもよく、本発明の実施例では限定されない。
【００３８】
ＥＰＣ装置は、いつでもどこでもブロードバンドアクセスを提供し、ユーザの要求をより良好に充足させるため、各種アプリケーションを提供することができる。これは、当業者により周知な通常の知識であり、本発明の実施例では繰り返し説明されない。
【００３９】
さらに、本明細書における“及び／又は”という用語は、関連するオブジェクトを説明するための単なる関連付けの関係を説明し、３つの関係が存在しうることを表す。例えば、Ａ及び／又はＢは、以下の３つのケース、すなわち、Ａのみが存在する、ＡとＢとの双方が存在する、及びＢのみが存在することを表すものであってもよい。さらに、本明細書における“／”というシンボルは、一般に関連するオブジェクトの間の“又は”の関係を示す。
【００４０】
本発明の実施例は、トランキングサービスを迅速に確立するための方法、関連する装置及びシステムを提供し、これにより、トランキングサービスを確立するための遅延を効果的に低減し、トランキングサービスの迅速な確立を確保する。以下において、詳細な説明が提供される。
【００４１】
以降の説明の簡単化のため、本発明の実施例では、ＵＥのサービスモードは、通常サービスモードとトランキングサービスモードとに分けられる。ＬＴＥネットワークシステムが、一例として利用される。通常サービスモードでは、ＵＥは通常のＬＴＥサービスを実行可能であり、トランキングサービスモードでは、ＵＥはトランキングサービスを開始又は受信可能であり、また通常のＬＴＥサービスに応答可能である。
【００４２】
実施例１
図１に示されるように、図１は、本発明の実施例１によるトランキングサービスを迅速に確立するための方法のフローチャートである。図１に示されるトランキングサービスを迅速に確立するための方法は、基地局装置（例えば、ｅＮＢなど）の観点から説明される。図１に示されるように、トランキングサービスを迅速に確立するための方法は、以下のステップを有してもよい。
【００４３】
１０１．基地局装置が、ＵＥがトランキングサービスモードに入ったという通知情報を受信し、ここで、通知情報はＥＰＣ装置により送信される。
【００４４】
可能な実現方式として、基地局装置は、ＥＰＣ装置により送信されたベアラ確立リクエスト又はコンテクスト変更リクエストを受信してもよく、当該リクエストはトランキングサービスベアラのＱｏＳ（Ｑｕａｌｉｔｙ  ｏｆ  Ｓｅｒｖｉｃｅ）クラス識別子（ＱＣＩ）パラメータを含み、トランキングサービスベアラのＱＣＩパラメータは、ＵＥにトランキングサービスモードに入るよう指示するのに利用される。
【００４５】
他の可能な実現方式として、基地局装置はまた、ＥＰＣ装置により送信されたベアラ確立リクエスト又はＵＥコンテクスト変更リクエストを受信してもよく、当該リクエストはトランキングサービス識別子を含み、トランキングサービス識別子は、ＵＥにトランキングサービスモードに入るよう指示するのに利用される。
【００４６】
１０２．基地局装置が、通知情報に応答し、ＵＥとのＲＲＣコネクションを構成する。
【００４７】
他の可能な実現方式として、基地局装置が、ＵＥとのＲＲＣコネクションを実現するため、ＵＥにＲＲＣコネクションリコンフィギュレーションリクエストを送信し、ＵＥにより返されたＲＲＣコネクションリコンフィギュレーションコンプリーションレスポンスを受信してもよい。
【００４８】
１０３．基地局装置が、通知情報に応答し、間欠受信周期（ＤＲＸ周期）を有する無線リソースコネクションコンフィギュレーション情報を生成する。
【００４９】
可能な実現方式として、基地局装置は、通知情報に応答し、第１ＤＲＸ周期と第２ＤＲＸ周期とを有する無線リソースコネクションコンフィギュレーション情報を生成してもよく、ここで、第１ＤＲＸ周期は第２ＤＲＸ周期より小さい。
【００５０】
１０４．基地局装置が、無線リソースコネクションコンフィギュレーション情報をＵＥに送信し、これにより、ＵＥは、基地局装置により生成されたＤＲＸ周期をＵＥ自体のＤＲＸ周期として設定する。
【００５１】
例えば、基地局装置により生成されたＤＲＸ周期が第１ＤＲＸ周期と第２ＤＲＸ周期とを含むとき、ここで、第１ＤＲＸ周期は第２ＤＲＸ周期より小さく、ＵＥは、基地局装置により送信され、第１ＤＲＸ周期と第２ＤＲＸ周期とを含む無線リソースコネクションコンフィギュレーション情報を受信し、第１ＤＲＸ周期と第２ＤＲＸ周期とをＵＥ自体のＤＲＸ周期として設定してもよい。
【００５２】
ＵＥがトランキングサービスモードにあるとき、ＵＥは、間欠受信短周期タイマ（ｄｒｘＳｈｏｒｔＣｙｃｌｅＴｉｍｅｒ）を自動的にクローズするか、又は基地局装置の指示に従ってクローズし、第１ＤＲＸ周期を利用してもよく、これにより、ＵＥの電力消費が低減でき、ＵＥがトランキングサービスモードから出ると（すなわち、ＵＥが通常サービスモードに入ると）、ＵＥは、間欠受信短周期タイマ（ｄｒｘＳｈｏｒｔＣｙｃｌｅＴｉｍｅｒ）を自動的に起動するか、又は基地局装置の指示に従って起動し、ｄｒｘＳｈｏｒｔＣｙｃｌｅＴｉｍｅｒが満了した後、第２ＤＲＸ周期を利用してもよく、これにより、ＵＥは通常サービスモードに戻る。
【００５３】
本発明の本実施例では、第１ＤＲＸ周期は第２ＤＲＸ周期より小さい。従って、以降において、本発明の本実施例では、第１ＤＲＸ周期はショートＤＲＸ周期と呼ばれ、第２ＤＲＸ周期はロングＤＲＸ周期と呼ばれる。ＵＥは、ショートＤＲＸ周期とロングＤＲＸ周期との双方により設定され、ＵＥはまず、トランキングサービスモードにおいてショートＤＲＸを利用する。従って、ｄｒｘＳｈｏｒｔＣｙｃｌｅＴｉｍｅｒのクローズは、ｄｒｘＳｈｏｒｔＣｙｃｌｅＴｉｍｅｒの満了によりロングＤＲＸが利用されることを防ぐことができ、これにより、トランキングサービスモードにおけるＵＥの電力消費が低減できる。ＵＥがトランキングサービスモードから出た後、ｄｒｘＳｈｏｒｔＣｙｃｌｅＴｉｍｅｒが起動でき、ｄｒｘＳｈｏｒｔＣｙｃｌｅＴｉｍｅｒが満了すると、ロングＤＲＸが利用され、これにより、ＵＥは通常サービスモードに戻る。
【００５４】
１０５．ＵＥがトランキングサービスモードにあるとき、基地局装置は、無線リソースコネクションコンフィギュレーション情報に従ってＵＥとのＲＲＣコネクションを保持する。
【００５５】
可能な実現方式として、図１に示されるトランキングサービスを迅速に確立するための方法では、基地局装置は、トランキングサービスモードに入る間欠受信コマンド（ＭＡＣ  Ｔｒｕｎｋｉｎｇ  ＤＲＸ  Ｃｏｍｍａｎｄ）をＵＥに送信してもよく、当該コマンドは、ＵＥがトランキングサービスモードにあるとき、第１ＤＲＸ周期を利用し、ｄｒｘＳｈｏｒｔＣｙｃｌｅＴｉｍｅｒをクローズするようＵＥに指示するのに利用される。
【００５６】
図１に示されるトランキングサービスを迅速に確立するための方法では、基地局装置は、トランキングサービスモードにあるＵＥとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【００５７】
実施例２
図２に示されるように、図２は、本発明の実施例２によるトランキングサービスを迅速に確立するための方法のフローチャートである。図２に示されるトランキングサービスを迅速に確立するための方法は、ＵＥの観点から説明される。図２に示されるように、トランキングサービスを迅速に確立するための方法は、以下のステップを有してもよい。
【００５８】
２０１．ＵＥが、ＥＰＣ装置を利用することによって、ＵＥとのＲＲＣコネクションを構成し、ＤＲＸ周期を有する無線リソースコネクションコンフィギュレーション情報を生成し、無線リソースコネクションコンフィギュレーション情報をＵＥに送信するよう基地局装置をトリガするため、ＵＥがトランキングサービスモードに入ったという通知情報を基地局装置に送信する。
【００５９】
任意的な実現方式として、ＵＥは、ＥＰＣ装置を利用することによって、ベアラ確立リクエスト又はコンテクスト変更リクエストを基地局装置に送信してもよく、当該リクエストはトランキングサービスベアラのＱＣＩパラメータを含み、トランキングサービスベアラのＱＣＩパラメータは、ＵＥにトランキングサービスモードに入るよう指示するのに利用される。
【００６０】
他の任意的な実現方式として、ＵＥは、ＥＰＣ装置を利用することによって、ベアラ確立リクエスト又はコンテクスト変更リクエストを基地局装置に送信してもよく、当該リクエストはトランキングサービス識別子を含み、トランキングサービス識別子は、ＵＥにトランキングサービスモードに入るよう指示するのに利用される。
【００６１】
２０２．ＵＥが、基地局装置により送信され、ＤＲＸ周期を有する無線リソースコネクションコンフィギュレーション情報を受信し、ＤＲＸ周期をＵＥ自体のＤＲＸ周期として設定する。
【００６２】
例えば、ＵＥは、基地局装置により送信され、第１ＤＲＸ周期と第２ＤＲＸ周期とを有する無線リソースコネクションコンフィギュレーション情報を受信してもよく、第１ＤＲＸ周期は第２ＤＲＸ周期より小さい。ＵＥは、第１ＤＲＸ周期又は第２ＤＲＸ周期をＵＥ自体のＤＲＸ周期として設定してもよい。
【００６３】
２０３．ＵＥがトランキングサービスモードにあるとき、ＵＥが、無線リソースコネクションコンフィギュレーション情報に従って基地局装置とのＲＲＣコネクションを保持する。
【００６４】
本発明の本実施例では、ＵＥがトランキングサービスモードにあるとき、ＵＥは、間欠受信短周期タイマ（ｄｒｘＳｈｏｒｔＣｙｃｌｅＴｉｍｅｒ）を自動的にクローズするか、又は基地局装置の指示に従ってクローズし、第１ＤＲＸ周期を利用してもよく、これにより、ＵＥの電力消費が低減でき、ＵＥがトランキングサービスモードから出ると（すなわち、ＵＥが通常サービスモードに入ると）、ＵＥは、間欠受信短周期タイマ（ｄｒｘＳｈｏｒｔＣｙｃｌｅＴｉｍｅｒ）を自動的に起動するか、又は基地局装置の指示に従って起動し、ｄｒｘＳｈｏｒｔＣｙｃｌｅＴｉｍｅｒが満了した後、第２ＤＲＸ周期を利用してもよく、これにより、ＵＥは通常サービスモードに戻る。
【００６５】
図２に示されるトランキングサービスを迅速に確立するための方法では、ＵＥは、トランキングサービスモードにあるとき、基地局装置とのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【００６６】
実施例３
図３に示されるように、図３は、本発明の実施例３によるトランキングサービスを迅速に確立するための方法のフローチャートである。図３に示されるトランキングサービスを迅速に確立するための方法は、ＵＥ、基地局装置（ｅＮＢ）、ＥＰＣ装置及びＰｏＣサーバの観点から説明される。図３に示されるように、トランキングサービスを迅速に確立するための方法は、以下のステップを有してもよい。
【００６７】
３０１．トランキングサービスモードに入った後、ＵＥは、トランキングサービスを可能にするため、トランキングサービスレジストレーションリクエストをＰｏＣサーバに送信する。
【００６８】
３０２．ＰｏＣサーバは、ＵＥがトランキングサービスモードに入ったという通知をＥＰＣに送信する。
【００６９】
３０３．ＥＰＣは、ベアラ確立リクエストをｅＮＢに送信し、ここで、ベアラ確立リクエストはトランキングサービスベアラのＱＣＩパラメータを含み、トランキングサービスベアラのＱＣＩパラメータは、ＵＥにトランキングサービスモードに入るよう指示するのに利用される。
【００７０】
上記のステップ３０１〜３０３は、ＵＥが、ＥＰＣ装置を利用することによって、ＵＥがトランキングサービスモードに入ったという通知情報をｅＮＢに送信するという目的を達成する。
【００７１】
テーブル１を参照して、テーブル１は、ＱＣＩパラメータとサービスタイプとの間の対応関係をリストする。ＥＰＣにより送信されたベアラ確立リクエストを受信した後、ｅＮＢは、トランキングサービスベアラのＱＣＩパラメータ（ＱＣＩ＝１０／１１）に従って、ＵＥがトランキングサービスモードにあることを特定できる。
【表１】
2015530051.tif 000015
【００７２】
３０４．ＥＰＣは、ＵＥがトランキングサービスモードに入ったという通知に対するレスポンス２００  ＯＫをＰｏＣサーバに返す。
【００７３】
３０５．ＥＰＣは、ＰｏＣサーバにより送信されたアクノリッジメントメッセージＡＣＫを受信する。
【００７４】
３０６．ｅＮＢは、ＲＲＣコネクションリコンフィギュレーションリクエストをＵＥに送信する。
【００７５】
３０７．ｅＮＢは、ｅＮＢとＵＥとの間のＲＲＣコネクションを実現するため、ＵＥにより返されるＲＲＣコネクションリコンフィギュレーションコンプリーションレスポンスを受信する。
【００７６】
３０８．ｅＮＢは、ベアラ確立コンプリーションレスポンスをＥＰＣに返す。
【００７７】
３０９−３１０．ある期間サービス送信がない場合、ｅＮＢは、ＵＥにＤＲＸ状態に入ることを指示するため、間欠受信状態に入るコマンド（ＭＡＣ  ＤＲＸ  Ｃｏｍｍａｎｄ）をＵＥに送信する。
【００７８】
３１１．ＵＥがトランキングサービスモードにあるとき、ｅＮＢは、サービス送信があるか否かに関係なく、ＵＥとのＲＲＣコネクションを継続的に保持し、無線リソースを解放しない。
【００７９】
３１２．トランキングサービスモードから出た後、ＵＥは、トランキングサービスをクローズするため、トランキングサービスデレジストレーションリクエストをＰｏＣサーバに送信する。
【００８０】
本発明の本実施例では、ＵＥが長時間非アクティブであるとき、ステップ３１２は実行されなくてもよく、ＰｏＣサーバはステップ３１３を自動的に開始する。
【００８１】
３１３．ＰｏＣサーバは、ＵＥがトランキングサービスモードから出たという通知をＥＰＣに送信する。
【００８２】
３１４．ＥＰＣは、ベアラリリースリクエストをｅＮＢに送信する。
【００８３】
３１５．ＥＰＣは、ＵＥがトランキングサービスモードから出たという通知に対するレスポンス２００  ＯＫをＰｏＣサーバに返す。
【００８４】
３１６．ＥＰＣは、ＰｏＣサーバにより送信されたアクノリッジメントメッセージＡＣＫを受信する。
【００８５】
３１７．ｅＮＢは、ＲＲＣコネクションリリースリクエストをＵＥに送信する。
【００８６】
３１８．ｅＮＢは、ＵＥにより返されたＲＲＣコネクションリリースコンプリーションレスポンスを受信し、ｅＮＢとＵＥとの間のＲＲＣコネクションを解放する。
【００８７】
３１９．ｅＮＢは、ベアラリリースリクエストコンプリーションレスポンスをＥＰＣに返す。
【００８８】
３２０．ＵＥは、通常サービスモードに入る。ある期間サービス送信がない場合、ＵＥはＤＲＸ状態に入る。サービス送信がもう１つの期間にもない場合、ＵＥはＲＲＣ＿ＩＤＬＥ状態に入る。
【００８９】
図３に示されるトランキングサービスを迅速に確立するための方法では、ｅＮＢは、トランキングサービスモードにあるＵＥとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【００９０】
実施例４
図４に示されるように、図４は、本発明の実施例４によるトランキングサービスを迅速に確立するための方法のフローチャートである。図４に示されるトランキングサービスを迅速に確立するための方法は、ＵＥ、基地局装置（ｅＮＢ）、ＥＰＣ装置及びＰｏＣサーバの観点から説明される。図３に示される方法と異なって、図４に示される方法では、ＥＰＣは、Ｓ１インタフェースを利用してトランキングサービス識別子を搬送することによってＵＥコンテクストを変更してもよく、ここで、トランキングサービス識別子は、ＵＥにトランキングサービスモードに入るよう指示するのに利用される。図４に示されるように、トランキングサービスを迅速に確立するための方法は、以下のステップを有してもよい。
【００９１】
４０１．トランキングサービスモードに入った後、ＵＥは、ＮＡＳメッセージをＥＰＣに送信し、ここで、当該ＮＡＳメッセージは、ＵＥがトランキングサービスモードに入ったことをＥＰＣに通知するのに利用される。
【００９２】
４０２．ＥＰＣは、Ｓ１インタフェースを利用することによって、コンテクスト変更リクエストをｅＮＢに送信し、ここで、当該コンテクスト変更リクエストは、ＵＥにトランキングサービスモードに入るよう指示するのに利用される拡張されたトランキングサービス識別子ＴｒｕｎｋｅｄＵＥＦｌａｇ＝ｔｒｕｅを含む。
【００９３】
上記のステップ４０１〜４０２は、ＥＰＣ装置を利用することによって、ＵＥがトランキングサービスモードに入ったという通知情報をｅＮＢに送信するという目的を達成する。
【００９４】
４０３．ｅＮＢは、ＵＥとのＲＲＣコネクションを構成し、ＵＥについてトランキングサービスモードにおいてショートＤＲＸ周期を設定する。
【００９５】
４０４．ｅＮＢは、コンテクスト変更リクエストレスポンスをＥＰＣに返す。
【００９６】
４０５〜４０６．ある期間サービス送信がない場合、ｅＮＢは、ＤＲＸ状態に入るようＵＥに指示するため、ＭＡＣ  ＤＲＸ  ＣｏｍｍａｎｄコマンドをＵＥに送信する。
【００９７】
４０７．ＵＥがトランキングサービスモードにあるとき、ｅＮＢは、サービス送信があるか否かに関係なく、ＵＥとのＲＲＣコネクションを継続的に保持し、無線リソースを解放しない。
【００９８】
４０８．トランキングサービスモードから出た後、ＵＥは、ＮＡＳメッセージをＥＰＣに送信し、ここで、当該ＮＡＳメッセージは、ＵＥがトランキングサービスモードから出たことをＥＰＣに通知するのに利用される。
【００９９】
４０９．ＥＰＣは、Ｓ１インタフェースを利用することによって、ＵＥコンテクスト変更リクエストをｅＮＢに送信し、ここで、ＵＥコンテクスト変更リクエストは、ＵＥにトランキングサービスモードから出るよう指示するのに利用されるＵＥイグジットトランキングサービス識別子ＴｒｕｎｋｅｄＵＥＦｌａｇ＝ｆａｌｓｅを含む。
【０１００】
４１０．ｅＮＢは、ＵＥとのＲＲＣコネクションを解放し、ＵＥについて通常サービスモードにおいてロングＤＲＸ周期を設定する。
【０１０１】
４１１．ｅＮＢは、ＵＥコンテクスト変更リクエストレスポンスをＥＰＣに返し、ＵＥは、通常サービスモードに入る。ある期間サービス送信がない場合、ｅＮＢは、ＤＲＸ状態に入るようＵＥに指示する。サービス送信がもう１つの期間にもない場合、ｅＮＢは、無線インタフェースリソースを解放する。
【０１０２】
図４に示されるトランキングサービスを迅速に確立するための方法では、トランキングサービスモードにおけるＵＥが、ｅＮＢとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【０１０３】
実施例５
図５に示されるように、図５は、本発明の実施例５によるトランキングサービスを迅速に確立するための方法のフローチャートである。図５に示されるトランキングサービスを迅速に確立するための方法は、ＵＥ、基地局装置（ｅＮＢ）、ＥＰＣ装置及びＰｏＣサーバの観点から説明される。図４に示される方法と異なって、図５に示される方法では、ｅＮＢは、ＵＥに対してトランキングサービスモードにおいて利用されるショートＤＲＸ周期と通常サービスモードにおいて利用されるロングＤＲＸ周期との双方を設定することができ、これにより、トランキングサービスモードにおいて、ＵＥはショートＤＲＸ周期状態で常時動作し、通常サービスモードにおいて、ＵＥはまずショートＤＲＸ周期状態で動作し、その後にロングＤＲＸ周期状態にスイッチすることができる。図５に示されるように、トランキングサービスを迅速に確立するための方法は、以下のステップを有してもよい。
【０１０４】
５０１．トランキングサービスモードに入った後、ＵＥは、ＮＡＳメッセージをＥＰＣに送信し、ここで、当該ＮＡＳメッセージは、ＵＥがトランキングサービスモードに入ったことをＥＰＣに通知するのに利用される。
【０１０５】
５０２．ＥＰＣは、Ｓ１インタフェースを利用することによって、コンテクスト変更リクエストをｅＮＢに送信し、ここで、当該コンテクスト変更リクエストは、ＵＥにトランキングサービスモードに入るよう指示するのに利用される拡張されたトランキングサービス識別子ＴｒｕｎｋｅｄＵＥＦｌａｇ＝ｔｒｕｅを含む。
【０１０６】
５０３〜５０４．ｅＮＢは、ＵＥとのＲＲＣコネクションを構成し、ＵＥについてトランキングサービスモードにおいて利用されるショートＤＲＸ周期と、通常サービスモードにおいて利用されるロングＤＲＸ周期とを設定する。
【０１０７】
５０５．ｅＮＢは、コンテクスト変更リクエストレスポンスをＥＰＣに返す。
【０１０８】
５０６〜５０７．ある期間サービス送信がない場合、ｅＮＢは、ＤＲＸ状態に入るようＵＥに指示するため、ＭＡＣ  ＤＲＸ  ＣｏｍｍａｎｄコマンドをＵＥに送信する。ＵＥはショートＤＲＸ周期とロングＤＲＸ周期との双方により設定されるため、ＵＥはまずショートＤＲＸ周期を利用し、その後、ｄｒｘＳｈｏｒｔＣｙｃｌｅＴｉｍｅｒが満了した後にロングＤＲＸ周期を利用する。実施例では、ＵＥはｄｒｘＳｈｏｒｔＣｙｃｌｅＴｉｍｅｒを自動的にクローズする必要があり、これにより、ＵＥはトランキングサービスモードにおいてショートＤＲＸ状態からロングＤＲＸ状態に自動的には遷移することはできない。
【０１０９】
５０８．ＵＥがトランキングサービスモードにあるとき、ＵＥは、サービス送信があるか否かに関係なく、ＵＥとのＲＲＣコネクションを継続的に保持し、無線リソースを解放しない。
【０１１０】
５０９．トランキングサービスモードから出た後、ＵＥは、ＮＡＳメッセージをＥＰＣに送信し、ここで、当該ＮＡＳメッセージは、ＵＥがトランキングサービスモードから出た（すなわち、ＵＥが通常サービスモードに入った）ことをＥＰＣに通知するのに利用される。
【０１１１】
５１０．ＵＥは、ｄｒｘＳｈｏｒｔＣｙｃｌｅＴｉｍｅｒを起動する。
【０１１２】
５１１．ＥＰＣは、Ｓ１インタフェースを利用することによって、コンテクスト変更リクエストをｅＮＢに送信し、ここで、コンテクスト変更リクエストは、ＵＥにトランキングサービスモードを出るよう指示（すなわち、ＵＥが通常サービスモードに入った）するのに利用されるＵＥイグジットトランキングサービス識別子ＴｒｕｎｋｅｄＵＥＦｌａｇ＝ｆａｌｓｅを含む。
【０１１３】
５１２．ＵＥは、ｄｒｘＳｈｏｒｔＣｙｃｌｅＴｉｍｅｒが満了すると、ロングＤＲＸ状態に入る。
【０１１４】
５１３．ｅＮＢは、コンテクスト変更リクエストレスポンスをＥＰＣに返す。
【０１１５】
５１４．ＵＥは、通常サービスモードに入る。ある期間サービス送信がない場合、ｅＮＢは、ＵＥとのＲＲＣコネクションを解放する。
【０１１６】
図５に示されるトランキングサービスを迅速に確立するための方法では、トランキングサービスモードにおけるＵＥが、ｅＮＢとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保される。
【０１１７】
実施例６
図６に示されるように、図６は、本発明の実施例６によるトランキングサービスを迅速に確立するための方法のフローチャートである。図６に示されるトランキングサービスを迅速に確立するための方法は、ＵＥ、基地局装置（ｅＮＢ）、ＥＰＣ装置及びＰｏＣサーバの観点から説明される。図４及び図５に示される方法と異なって、図６に示される方法では、ｅＮＢは、トランキングサービスモードに入る間欠受信コマンド（ＭＡＣ  Ｔｒｕｎｋｉｎｇ  ＤＲＸ  Ｃｏｍｍａｎｄ）を拡張し、それは、ＵＥがトランキングサービスモードにあるとき、ショートＤＲＸを利用し、ｄｒｘＳｈｏｒｔＣｙｃｌｅＴｉｍｅｒをクローズするようＵＥに指示するのに利用され、これにより、ＵＥがｄｒｘＳｈｏｒｔＣｙｃｌｅＴｉｍｅｒの満了のためロングＤＲＸを利用することを防ぐ。図６に示されるように、トランキングサービスを迅速に確立するための方法は、以下のステップを有してもよい。
【０１１８】
ステップ６０１〜６０５はそれぞれステップ５０１〜５０５と同じであり、本発明の本実施例では繰り返して説明されない。
【０１１９】
６０６〜６０７．ある期間サービス送信がない場合、ｅＮＢは、ＵＥがトランキングサービスモードにあるとき、ショートＤＲＸを利用し、ｄｒｘＳｈｏｒｔＣｙｃｌｅＴｉｍｅｒをクローズし、ＤＲＸ状態に入るようＵＥに指示するため、ＭＡＣ  Ｔｒｕｎｋｉｎｇ  ＤＲＸ  ＣｏｍｍａｎｄコマンドをＵＥに送信する。ＵＥがショートＤＲＸサイクルとロングＤＲＸサイクルとの双方により設定されるため、ＵＥはまずショートＤＲＸを利用し、その後、ｄｒｘＳｈｏｒｔＣｙｃｌｅＴｉｍｅｒが満了した後にロングＤＲＸを利用する。本実施例では、ＵＥは、ｅＮＢのコマンドに従ってｄｒｘＳｈｏｒｔＣｙｃｌｅＴｉｍｅｒをクローズする必要があり、これにより、ＵＥは、トランキングサービスモードにおいてショートＤＲＸ状態からロングＤＲＸ状態に自動的には遷移することはできない。
【０１２０】
ステップ６０８〜６１４はそれぞれステップ５０４〜５１４と同じであり、本発明の本実施例では繰り返しては説明されない。
【０１２１】
図６に示されるトランキングサービスを迅速に確立するための方法では、トランキングサービスモードにおけるＵＥが、ｅＮＢとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１２２】
実施例７
図７に示されるように、図７は、本発明の実施例７による基地局装置の構成図である。図７に示されるように、基地局装置は、
ＵＥがトランキングサービスモードに入ったという通知情報を受信するよう構成される受信部７０１であって、当該通知情報はＥＰＣ装置により送信される、受信部７０１と、
通知情報に応答し、基地局装置とＵＥとの間のＲＲＣコネクションを構成するよう構成される構成部７０２と、
通知情報に応答し、ＤＲＸ周期を有する無線リソースコネクションコンフィギュレーション情報を生成するよう構成される生成部７０３と、
無線リソースコネクションコンフィギュレーション情報をＵＥに送信するよう構成される送信部７０４であって、ＵＥはＤＲＸ周期をＵＥ自体のＤＲＸ周期として設定する、送信部７０４と、
ＵＥがトランキングサービスモードにあるとき、トランキングサービスを迅速に確立するため、無線リソースコネクションコンフィギュレーション情報に従ってＵＥとのＲＲＣコネクションを保持するよう構成される保持部７０５と、
を有する。
【０１２３】
可能な実現方式として、受信部７０１は、ＥＰＣ装置により送信されるベアラ確立リクエスト又はコンテクスト変更リクエストを受信するよう具体的に構成され、当該リクエストはトランキングサービスベアラのＱＣＩパラメータを含み、トランキングサービスベアラのＱＣＩパラメータは、ＵＥにトランキングサービスモードに入るよう指示するのに利用される。
【０１２４】
他の可能な実現方式として、受信部７０１は、ＥＰＣ装置により送信されるベアラ確立リクエスト又はコンテクスト変更リクエストを受信するよう具体的に構成され、当該リクエストはトランキングサービス識別子を含み、トランキングサービス識別子は、ＵＥにトランキングサービスモードに入るよう指示するのに利用される。
【０１２５】
可能な実現方式として、構成部７０２は、基地局装置とＵＥとの間のＲＲＣコネクションを実現するため、通知情報に応答し、ＲＲＣコネクションリコンフィギュレーションリクエストをＵＥに送信し、ＵＥにより返されたＲＲＣコネクションリコンフィギュレーションレスポンスを受信するよう具体的に構成される。
【０１２６】
可能な実現方式として、生成部７０３は、通知情報に応答し、第１ＤＲＸ周期と第２ＤＲＸ周期とを有する無線リソースコネクションコンフィギュレーション情報を生成するよう具体的に構成され、第１ＤＲＸ周期は第２ＤＲＸ周期より小さい。従って、ＵＥは、第１ＤＲＸ周期又は第２ＤＲＸ周期をＵＥ自体のＤＲＸ周期として設定してもよい。ＵＥがトランキングサービスモードにあるとき、ＵＥは、ｄｒｘＳｈｏｒｔＣｙｃｌｅＴｉｍｅｒを自動的にクローズするか、又は基地局装置の指示に従ってクローズし、第１ＤＲＸサイクルを利用してもよく、これにより、ＵＥの電力消費を低減し、ＵＥがトランキングサービスモードを出るとき、ＵＥは、ｄｒｘＳｈｏｒｔＣｙｃｌｅＴｉｍｅｒを自動的に起動するか、又は基地局装置の指示に従って起動し、ｄｒｘＳｈｏｒｔＣｙｃｌｅＴｉｍｅｒが満了した後に第２ＤＲＸ周期を利用してもよく、これにより、ＵＥの通常サービスモードが復帰できる。
【０１２７】
可能な実現方式として、図７に示される基地局装置において、送信部７０４は更に、トランキングサービスモードに入る間欠受信コマンド（ＭＡＣ  Ｔｒｕｎｋｉｎｇ  ＤＲＸ  Ｃｏｍｍａｎｄ）をＵＥに送信するよう構成され、当該コマンドは、ＵＥがトランキングサービスモードにあるとき、第１ＤＲＸ周期を利用し、ｄｒｘＳｈｏｒｔＣｙｃｌｅＴｉｍｅｒをクローズするようＵＥに指示するのに利用される。
【０１２８】
図７に示される基地局装置は、トランキングサービスモードにおけるＵＥとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１２９】
実施例８
図８に示されるように、図８は、本発明の実施例８による基地局装置の構成図である。図８に示されるように、基地局装置は、受信機８０１、プロセッサ８０２及び送信機８０３を有してもよい。本発明のいくつかの実施例では、受信機８０１、プロセッサ８０２及び送信機８０３は、バスを用いて、又は他の方法により接続されてもよく、図８では、バスを用いることによってそれらを接続することが一例として利用され、ここで、
受信機８０１は、ＵＥがトランキングサービスモードに入ったという通知情報を受信するよう構成され、ここで、当該通知情報はＥＰＣ装置により送信され、
プロセッサ８０２は、通知情報に応答し、基地局装置とＵＥとの間のＲＲＣコネクションを構成し、ＤＲＸ周期を含む無線リソースコネクションコンフィギュレーション情報を生成するよう構成され、
送信機８０３は、無線リソースコネクションコンフィギュレーション情報を送信するよう構成され、これにより、ＵＥはＤＲＸ周期をＵＥ自体のＤＲＸ周期として設定し、
プロセッサ８０２は更に、ＵＥがトランキングサービスモードにあるとき、無線リソースコネクションコンフィギュレーション情報に従ってＵＥとのＲＲＣコネクションを保持するよう構成される。
【０１３０】
可能な実現方式として、受信機８０１は、ＥＰＣ装置により送信されるベアラ確立リクエスト又はコンテクスト変更リクエストを受信するよう具体的に構成され、ここで、当該リクエストはトランキングサービスベアラのＱＣＩパラメータを含み、トランキングサービスベアラのＱＣＩパラメータは、ＵＥにトランキングサービスモードに入るよう指示するのに利用される。
【０１３１】
他の可能な実現方式として、受信機８０１は、ＥＰＣ装置により送信されたベアラ確立リクエスト又はコンテクスト変更リクエストを受信するよう具体的に構成され、ここで、当該リクエストはトランキングサービス識別子を含み、トランキングサービス識別子は、ＵＥにトランキングサービスモードに入るよう指示するのに利用される。
【０１３２】
可能な実現方式として、プロセッサ８０２が通知情報に応答し、基地局装置とＵＥとの間のＲＲＣコネクションを構成することは、具体的には、
プロセッサ８０２が、基地局装置とＵＥとの間のＲＲＣコネクションを実現するため、通知情報に応答し、ＲＲＣコネクションリコンフィギュレーションリクエストをＵＥに送信し、ＵＥにより返されるＲＲＣコネクションリコンフィギュレーションレスポンスを受信することであってもよい。
【０１３３】
可能な実現方式として、プロセッサ８０２が通知情報に応答し、ＤＲＸ周期を含む無線リソースコネクションコンフィギュレーション情報を生成することは、具体的には、
プロセッサ８０２は、通知情報に応答し、第１ＤＲＸ周期と第２ＤＲＸ周期とを含む無線リソースコネクションコンフィギュレーション情報を生成し、ここで、第１ＤＲＸ周期は第２ＤＲＸ周期より小さいことであってもよい。従って、ＵＥは、第１ＤＲＸ周期又は第２ＤＲＸ周期をＵＥ自体のＤＲＸ周期として設定してもよい。ＵＥがトランキングサービスモードにあるとき、ＵＥは、ｄｒｘＳｈｏｒｔＣｙｃｌｅＴｉｍｅｒを自動的にクローズするか、又は基地局装置の指示に従ってクローズし、第１ＤＲＸ周期を利用してもよく、これにより、ＵＥの電力消費を低減し、ＵＥがトランキングサービスモードから出ると、ＵＥは、ｄｒｘＳｈｏｒｔＣｙｃｌｅＴｉｍｅｒを自動的に起動するか、又は基地局装置の指示に従って起動し、ｄｒｘＳｈｏｒｔＣｙｃｌｅＴｉｍｅｒが満了した後に第２ＤＲＸ周期を利用してもよく、これにより、ＵＥの通常サービスモードが復帰可能である。
【０１３４】
可能な実現方式として、送信機８０３は更に、トランキングサービスモードに入る間欠受信コマンド（ＭＡＣ  Ｔｒｕｎｋｉｎｇ  ＤＲＸ  Ｃｏｍｍａｎｄ）をＵＥに送信するよう構成され、ここで、当該コマンドは、ＵＥがトランキングサービスモードにあるとき、第１ＤＲＸ周期を利用し、ｄｒｘＳｈｏｒｔＣｙｃｌｅＴｉｍｅｒをクローズするようＵＥに指示するのに利用される。
【０１３５】
図８に示される基地局装置は、トランキングサービスモードにあるＵＥとのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１３６】
実施例９
図９に示されるように、図９は、本発明の実施例９によるＵＥの構成図である。図９に示されるように、ＵＥは、
ＥＰＣ装置を利用することによって、ＵＥとのＲＲＣコネクションを構成し、ＤＲＸ周期を有する無線リソースコネクションコンフィギュレーション情報を生成し、無線リソースコネクションコンフィギュレーション情報をＵＥに送信するよう基地局装置をトリガするため、ＵＥがトランキングサービスモードに入ったという通知情報を基地局装置に送信するよう構成される送信部９０１と、
基地局装置により送信され、ＤＲＸ周期を有する無線リソースコネクションコンフィギュレーション情報を受信するよう構成される受信部９０２と、
ＤＲＸ周期をＵＥ自体のＤＲＸ周期として設定するよう構成される設定部９０３と、
ＵＥがトランキングサービスモードにあるとき、無線リソースコネクションコンフィギュレーション情報に従って基地局装置とのＲＲＣコネクションを保持するよう構成される保持部９０４と、
を有してもよい。
【０１３７】
可能な実現方式として、送信部９０１は、ＥＰＣ装置を利用することによって、ベアラ確立リクエスト又はコンテクスト変更リクエストを基地局装置に送信するよう具体的に構成され、当該リクエストはトランキングサービスベアラのＱＣＩパラメータを含み、トランキングサービスベアラのＱＣＩパラメータは、ＵＥにトランキングサービスモードに入るよう指示するのに利用される。
【０１３８】
他の可能な実現方式として、送信部９０１は、ＥＰＣ装置を利用することによって、ベアラ確立リクエスト又はコンテクスト変更リクエストを基地局装置に送信するよう具体的に構成され、当該リクエストはトランキングサービス識別子を含み、トランキングサービス識別子は、ＵＥにトランキングサービスモードに入るよう指示するのに利用される。
【０１３９】
可能な実現方式として、受信部９０２は、基地局装置により送信され、第１ＤＲＸ周期と第２ＤＲＸ周期とを有する無線リソースコネクションコンフィギュレーション情報を受信するよう具体的に構成され、第１ＤＲＸ周期は第２ＤＲＸ周期より小さい。これに対応して、設定部９０３は、第１ＤＲＸ周期又は第２ＤＲＸ周期をＵＥ自体のＤＲＸ周期として設定するよう具体的に構成される。
【０１４０】
可能な実現方式として、保持部９０４は更に、ＵＥがトランキングサービスモードにあるとき、ｄｒｘＳｈｏｒｔＣｙｃｌｅＴｉｍｅｒを自動的にクローズするか、又は基地局装置の指示に従ってクローズし、第１ＤＲＸ周期を利用するよう構成され、これにより、ＵＥの電力消費を低減し、ＵＥがトランキングサービスモードから出るとき、ｄｒｘＳｈｏｒｔＣｙｃｌｅＴｉｍｅｒを自動的に起動するか、又は基地局装置の指示に従って起動し、ｄｒｘＳｈｏｒｔＣｙｃｌｅＴｉｍｅｒが満了した後、第２ＤＲＸ周期を利用するよう構成され、これにより、ＵＥの通常サービスモードが復帰可能である。
【０１４１】
本発明の本実施例では、受信部９０２は更に、基地局装置により送信されたＲＲＣコネクションリコンフィギュレーションリクエストを受信し、送信部９０１は更に、ＵＥと基地局装置との間のＲＲＣコネクションを確立するため、ＲＲＣコネクションリコンフィギュレーションコンプリーションレスポンスを基地局装置に送信するよう構成される。
【０１４２】
図９に示されるＵＥは、ＵＥがトランキングサービスモードにあるとき、基地局装置とのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１４３】
実施例１０
図１０に示されるように、図１０は、本発明の実施例１０によるＵＥの構成図である。図１０に示されるように、ＵＥは、受信機１００１、プロセッサ１００２及び送信機１００３を有してもよい。本発明のいくつかの実施例では、受信機１００１、プロセッサ１００２及び送信機１００３は、バスを利用することによって、又は他の方法により接続されてもよく、図１０では、バスを利用することによってそれらを接続することが、一例として利用され、ここで、
送信機１００３は、ＥＰＣ装置を利用することによって、ＵＥとのＲＲＣコネクションを構成し、ＤＲＸ周期を有する無線リソースコネクションコンフィギュレーション情報を生成し、無線リソースコネクションコンフィギュレーション情報をＵＥに送信するよう基地局装置をトリガするため、ＵＥがトランキングサービスモードに入ったという通知情報を基地局装置に送信するよう構成され、
受信機１００１は、基地局装置により送信され、ＤＲＸ周期を有する無線リソースコネクションコンフィギュレーション情報を受信するよう構成され、
プロセッサ１００２は、ＤＲＸ周期をＵＥ自体のＤＲＸ周期として設定するよう構成され、ユーザ装置がトランキングサービスモードにあるとき、無線リソースコネクションコンフィギュレーション情報に従って基地局装置とのＲＲＣコネクションを保持するよう構成される。
【０１４４】
可能な実現方式として、送信機１００３は、ＥＰＣ装置を利用することによって、ベアラ確立リクエスト又はコンテクスト変更リクエストを基地局装置に送信するよう具体的に構成され、当該リクエストはトランキングサービスベアラのＱＣＩパラメータを含み、トランキングサービスベアラのＱＣＩパラメータは、ＵＥにトランキングサービスモードに入るよう指示するのに利用される。
【０１４５】
他の可能な実現方式として、送信機１００３は、ＥＰＣ装置を利用することによって、ベアラ確立リクエスト又はコンテクスト変更リクエストを基地局装置に送信するよう具体的に構成され、当該リクエストはトランキングサービス識別子を含み、トランキングサービス識別子は、ＵＥにトランキングサービスモードに入るよう指示するのに利用される。
【０１４６】
可能な実現方式として、受信機１００１は、基地局装置により送信され、第１ＤＲＸ周期と第２ＤＲＸ周期とを有する無線リソースコネクションコンフィギュレーション情報を受信するよう具体的に構成され、第１ＤＲＸ周期は第２ＤＲＸ周期より小さい。これに対応して、プロセッサ１００２は、第１ＤＲＸ周期又は第２ＤＲＸ周期をＵＥ自体のＤＲＸ周期として設定するよう具体的に構成され、ＵＥがトランキングサービスモードにあるとき、無線リソースコネクションコンフィギュレーション情報に従って基地局装置とのＲＲＣコネクションを保持するよう構成される。
【０１４７】
可能な実現方式として、プロセッサ１００２は更に、ＵＥがトランキングサービスモードにあるとき、ｄｒｘＳｈｏｒｔＣｙｃｌｅＴｉｍｅｒを自動的にクローズするか、又は基地局装置の指示に従ってクローズし、第１ＤＲＸ周期を利用するよう構成され、これにより、ＵＥの電力消費を低減し、ＵＥがトランキングサービスモードから出るとき、ｄｒｘＳｈｏｒｔＣｙｃｌｅＴｉｍｅｒを自動的に起動するか、又は基地局装置の指示に従って起動し、ｄｒｘＳｈｏｒｔＣｙｃｌｅＴｉｍｅｒが満了した後、第２ＤＲＸ周期を利用するよう構成され、これにより、ＵＥの通常サービスモードが復帰可能である。
【０１４８】
本発明の本実施例では、受信機１００１は更に、基地局装置により送信されたＲＲＣコネクションリコンフィギュレーションリクエストを受信し、送信機１００３は更に、ＵＥと基地局装置との間のＲＲＣコネクションを確立するため、ＲＲＣコネクションリコンフィギュレーションコンプリーションレスポンスを基地局装置に送信するよう構成される。
【０１４９】
図１０に示されるＵＥは、ＵＥがトランキングサービスモードにあるとき、基地局装置とのＲＲＣコネクションを継続的に保持できる。このようにして、新たなサービスが到来すると、サービス送信が直接的に実行可能であり、ＵＥは、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１５０】
実施例１１
図１１に示されるように、図１１は、本発明の実施例１１によるトランキングサービスを迅速に確立するためのシステムの構成図である。図１１に示されるように、システムは、基地局装置１１０１、ＵＥ１１０２及びＥＰＣ（Ｅｖｏｌｖｅｄ  Ｐａｃｋｅｔ  Ｃｏｒｅ  ｎｅｔｗｏｒｋ）装置１１０３を有してもよい。基地局装置１１０１の構成及び機能は、図７又は図８に示される基地局装置のものと同じであってもよく、ＵＥ１１０２の構成及び機能は、図９又は図１０に示されるＵＥのものと同じであってもよく、これらは、本発明の本実施例において繰り返して説明されない。図１１において、破線は無線コネクションを示す。
【０１５１】
ＥＰＣ装置１１０３は、ＵＥ１１０２がトランキングサービスモードに入ったという通知情報を基地局装置１１０１に送信するよう構成される。
【０１５２】
可能な実現方式として、ＥＰＣ装置１１０３は、ベアラ確立リクエスト又はコンテクストリクエストを基地局装置１１０１に送信するよう具体的に構成され、当該リクエストはトランキングサービスベアラのＱＣＩパラメータを含み、トランキングサービスベアラのＱＣＩパラメータは、ＵＥ１１０２にトランキングサービスモードに入るよう指示するのに利用される。
【０１５３】
他の可能な実現方式として、ＥＰＣ装置１１０３は、ベアラ確立リクエスト又はコンテクスト変更リクエストを基地局装置１１０１に送信するよう具体的に構成され、当該リクエストはトランキングサービス識別子を含み、トランキングサービス識別子は、ＵＥ１１０２にトランキングサービスモードに入るよう指示するのに利用される。
【０１５４】
図１１に示されるシステムでは、トランキングサービスモードにあるＵＥ１１０２と基地局装置１１０１との間のＲＲＣコネクションが継続的に保持できる。このようにして、新たなサービスが到来すると、サービス送信が直接的に実行可能であり、ＵＥ１１０２は、ＲＲＣ＿ＩＤＬＥ状態からＲＲＣ＿ＣＯＮＮＥＣＴＥＤ状態に遷移する必要なく、サービス送信を実行でき、これにより、トランキングサービスを確立するための遅延が有意に低減でき、トランキングサービスの迅速な確立が確保され、規格に対する影響は軽微であり、システム互換性は良好である。
【０１５５】
説明の簡単化のため、上記方法の実施例はアクションの組み合わせの系列として表されることに留意すべきである。しかしながら、当業者は、本発明によると、一部のステップは他の順序を採用してもよいし、又は同時に実行されてもよいため、本発明は説明されたアクションの順序に限定されないことを知るべきである。当業者はまた、本明細書に説明された実施例の全てが例示的な実施例に属し、関係するアクション及びモジュールは必ずしも本発明により要求されるとは限らないことを知るべきである。
【０１５６】
上記の実施例では、各実施例の説明は強調を有している。特定の実施例において詳細には説明されていない部分について、他の実施例において関連する説明が参照されてもよい。
【０１５７】
当業者は、実施例における方法のステップの全て又は一部が関連するハードウェアにプログラムが指示することによって実現されてもよいことを理解してもよい。プログラムは、コンピュータ可読記憶媒体に格納されてもよい。当該記憶媒体は、フラッシュメモリ、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク、光ディスクなどを含むものであってもよい。
【０１５８】
本発明の実施例により提供されるトランキングサービスを迅速に確立するための方法、システム及び装置が詳細に上述されている。本明細書では、本発明の原理及び実現方式を説明するため、特定の実施例が利用されている。上記の実施例の説明は、本発明の方法及び主要なアイデアを理解することを助けることを単に意図している。一方、当業者は、本発明のアイデアによる特定の実現方式及び出願範囲に変更してもよい。この結果、本明細書における内容は本発明に対する限定として理解されるものでない。
【手続補正３】
【補正対象書類名】図面
【補正対象項目名】図４
【補正方法】変更
【補正の内容】
【図４】
2015530051.tif 000016
【手続補正４】
【補正対象書類名】図面
【補正対象項目名】図５
【補正方法】変更
【補正の内容】
【図５】
2015530051.tif 000017
【手続補正５】
【補正対象書類名】図面
【補正対象項目名】図６
【補正方法】変更
【補正の内容】
【図６】
2015530051.tif 000018
【国際調査報告】
2015530051.tif 000019
2015530051.tif 000020
2015530051.tif 000021
2015530051.tif 000022